(57)【特許請求の範囲】
【請求項１】
撮影を行う空間である撮影空間と、前記撮影空間での撮影によって得られた撮影画像の画像処理を行う空間である画像処理空間とが形成された画像処理装置において、
１種類の証明写真用画像を生成するための１人用のコースである第１のコースと複数種類の編集画像を生成するための複数人用のコースである第２のコースのうちのいずれかのコースの選択に用いられるコース選択画面を表示する、前記撮影空間に設けられる第１の表示手段と、
利用者を被写体として複数回の撮影を行うことによって複数枚の前記撮影画像を取得する撮影手段と、
前記第１のコースを選択し、撮影を終えた前記利用者に対して、任意の１枚の前記撮影画像を前記証明写真用画像とした、前記証明写真用画像の調整に用いられる調整画面を表示し、前記第２のコースを選択し、撮影を終えた前記利用者に対して、前記調整画面を表示せずに、複数枚の前記撮影画像の編集に用いられる編集画面を表示する、前記画像処理空間に設けられる第２の表示手段と、
調整の対象となる前記証明写真用画像が１枚表示され、調整内容を選択するときに操作されるボタンが配置された前記調整画面に対する前記利用者の操作に応じて前記証明写真用画像を調整する調整手段と、
編集の対象となる前記撮影画像と編集内容を選択するときに操作されるボタンとを含む領域が左右に形成された前記編集画面に対する前記利用者の操作に応じて、それぞれの前記領域に編集の対象として表示された前記撮影画像を編集して前記編集画像を生成する編集手段と
を備える画像処理装置。
【請求項２】
前記第２の表示手段は、前記第１のコースを選択した前記利用者が前記撮影空間における撮影を終えた場合、撮影によって得られた複数枚の前記撮影画像の中から前記証明写真用画像とする１枚の前記撮影画像を選択することに用いられる第１の画像選択画面を表示し、１枚の前記撮影画像が前記証明写真用画像として選択された後、前記調整画面を表示する
請求項１に記載の画像処理装置。
【請求項３】
前記第１の表示手段は、前記第２のコースを選択した前記利用者が撮影を終えた場合、撮影によって得られた複数枚の前記撮影画像の中から編集対象とする前記撮影画像を選択することに用いられる第２の画像選択画面を表示する
請求項２に記載の画像処理装置。
【請求項４】
前記調整手段による調整後の１種類の前記証明写真用画像を印刷媒体に複数印刷し、前記編集手段による編集によって得られた複数種類の前記編集画像を印刷媒体に印刷する印刷手段をさらに備える
請求項１乃至３のいずれかに記載の画像処理装置。
【請求項５】
前記印刷媒体はシール紙である
請求項４に記載の画像処理装置。
【請求項６】
前記証明写真用画像の調整は、前記証明写真用画像における前記被写体の位置の調整と大きさの調整のうちの少なくともいずれかを含む処理であり、
前記撮影画像の編集は、あらかじめ用意される複数の合成用画像の中から前記利用者により選択された前記合成用画像を、前記撮影画像上の、前記合成用画像の選択に続けて前記利用者により指定された位置に合成させる処理を含む処理である
請求項１乃至５のいずれかに記載の画像処理装置。
【請求項７】
前記証明写真用画像の調整は、前記証明写真用画像に写る前記被写体の背景の色の調整と、前記被写体の写りの調整とを含む処理であり、
前記調整画面には、前記背景の色の調整に用いられるボタンと、前記被写体の写りの調整に用いられるボタンとが配置される
請求項１乃至６のいずれかに記載の画像処理装置。
【請求項８】
前記調整画面には、調整中の前記証明写真用画像を表示するときに操作される調整中ボタンと、調整前の前記証明写真用画像を表示するときに操作される調整前ボタンとが配置され、
前記第２の表示手段は、調整中の前記証明写真用画像を表示している場合において、前記調整前ボタンが操作されたとき、調整中の前記証明写真用画像に代えて、調整前の前記証明写真用画像を表示させる
請求項１乃至７のいずれかに記載の画像処理装置。
【請求項９】
撮影を行う空間である撮影空間と、前記撮影空間での撮影によって得られた撮影画像の画像処理を行う空間である画像処理空間とが形成された画像処理装置の画像処理方法において、
１種類の証明写真用画像を生成するための１人用のコースである第１のコースと複数種類の編集画像を生成するための複数人用のコースである第２のコースのうちのいずれかのコースの選択に用いられるコース選択画面を前記撮影空間に設けられる第１の表示手段に表示させ、
前記コース選択画面において前記第１のコースが選択された場合、
利用者を被写体として複数回の撮影を撮影手段により行うことによって複数枚の前記撮影画像を取得し、
撮影を終えた前記利用者に対して、任意の１枚の前記撮影画像を前記証明写真用画像とした、前記証明写真用画像の調整に用いられる調整画面を前記画像処理空間に設けられる第２の表示手段に表示し、
調整の対象となる前記証明写真用画像が１枚表示され、調整内容を選択するときに操作されるボタンが配置された前記調整画面に対する前記利用者の操作に応じて前記証明写真用画像を調整し、
前記コース選択画面において前記第２のコースが選択された場合、
前記利用者を被写体として前記撮影手段により撮影を行うことによって前記撮影画像を取得し、
撮影を終えた前記利用者に対して、前記調整画面を表示せずに、複数枚の前記撮影画像の編集に用いられる編集画面を前記第２の表示手段に表示させ、
編集の対象となる前記撮影画像と編集内容を選択するときに操作されるボタンとを含む領域が左右に形成された前記編集画面に対する前記利用者の操作に応じて、それぞれの前記領域に編集の対象として表示された前記撮影画像を編集して前記編集画像を生成する
ステップを含む画像処理方法。
【発明の詳細な説明】
【技術分野】
【０００１】
本発明は、画像処理装置および画像処理方法に関し、特に、証明写真として用いることのできる画像を得るための撮影と画像の調整を含む一連の作業を、空間を移動しながら行わせることができるようにした画像処理装置および画像処理方法に関する。
【背景技術】
【０００２】
履歴書などに貼るための証明写真を用意するのにボックス型の証明写真機が用いられることが多い。
【０００３】
利用者は、電車の駅の構内などに設置されている証明写真機のブース内に入り、用意された椅子に座って、画面の案内に従って用途やサイズを選択したり、撮影を行ったりする。撮影した画像に対して画質の調整などを行った後、印刷の開始を指示し、光沢紙などに印刷された写真を受け取ることになる（例えば特許文献１）。
【先行技術文献】
【特許文献】
【０００４】
【特許文献１】特開２０１３−０３８４５９号公報
【発明の概要】
【発明が解決しようとする課題】
【０００５】
筐体のコンパクト化のため、通常、利用者が入るブースは１人しか入ることができないようになっており、５分程度の時間とはいえ、そのような狭い空間で１人きりで一連の作業を行うことに対して抵抗感がある人もいる。
【０００６】
そのような人にとっては、撮影を済ませたらブースからすぐに出て、その後の作業を行うことができるようにすることが望ましい。
【０００７】
本発明はこのような状況に鑑みてなされたものであり、証明写真として用いることのできる画像を得るための撮影と画像の調整を含む一連の作業を、空間を移動しながら行わせることができるようにするものである。
【課題を解決するための手段】
【０００８】
本発明の一側面の画像処理装置は、撮影を行う空間である撮影空間と、前記撮影空間での撮影によって得られた撮影画像の画像処理を行う空間である画像処理空間とが形成された画像処理装置において、１種類の証明写真用画像を生成するための１人用のコースである第１のコースと複数種類の編集画像を生成するための複数人用のコースである第２のコースのうちのいずれかのコースの選択に用いられるコース選択画面を表示する、前記撮影空間に設けられる第１の表示手段と、利用者を被写体として複数回の撮影を行うことによって複数枚の前記撮影画像を取得する撮影手段と、前記第１のコースを選択し、撮影を終えた前記利用者に対して、任意の１枚の前記撮影画像を前記証明写真用画像とした、前記証明写真用画像の調整に用いられる調整画面を表示し、前記第２のコースを選択し、撮影を終えた前記利用者に対して、前記調整画面を表示せずに、複数枚の前記撮影画像の編集に用いられる編集画面を表示する、前記画像処理空間に設けられる第２の表示手段と、調整の対象となる前記証明写真用画像が１枚表示され、調整内容を選択するときに操作されるボタンが配置された前記調整画面に対する前記利用者の操作に応じて前記証明写真用画像を調整する調整手段と、編集の対象となる前記撮影画像と編集内容を選択するときに操作されるボタンとを含む領域が左右に形成された前記編集画面に対する前記利用者の操作に応じて、それぞれの前記領域に編集の対象として表示された前記撮影画像を編集して前記編集画像を生成する編集手段とを備える。
【０００９】
前記第２の表示手段には、前記第１のコースを選択した前記利用者が前記撮影空間における撮影を終えた場合、撮影によって得られた複数枚の前記撮影画像の中から前記証明写真用画像とする１枚の前記撮影画像を選択することに用いられる第１の画像選択画面を表示させ、１枚の前記撮影画像が前記証明写真用画像として選択された後、前記調整画面を表示させることができる。
【００１０】
前記第１の表示手段には、前記第２のコースを選択した前記利用者が撮影を終えた場合、撮影によって得られた複数枚の前記撮影画像の中から編集対象とする前記撮影画像を選択することに用いられる第２の画像選択画面を表示させることができる。
【００１１】
前記調整手段による調整後の１種類の前記証明写真用画像を印刷媒体に複数印刷し、前記編集手段による編集によって得られた複数種類の前記編集画像を印刷媒体に印刷する印刷手段をさらに設けることができる。
【００１２】
前記印刷媒体はシール紙であるようにすることができる。
【００１３】
前記証明写真用画像の調整は、前記証明写真用画像における前記被写体の位置の調整と大きさの調整のうちの少なくともいずれかを含む処理であり、前記撮影画像の編集は、あらかじめ用意される複数の合成用画像の中から前記利用者により選択された前記合成用画像を、前記撮影画像上の、前記合成用画像の選択に続けて前記利用者により指定された位置に合成させる処理を含む処理であるようにすることができる。
前記証明写真用画像の調整は、前記証明写真用画像に写る前記被写体の背景の色の調整と、前記被写体の写りの調整とを含む処理であり、前記調整画面に、前記背景の色の調整に用いられるボタンと、前記被写体の写りの調整に用いられるボタンを配置することができる。
前記調整画面に、調整中の前記証明写真用画像を表示するときに操作される調整中ボタンと、調整前の前記証明写真用画像を表示するときに操作される調整前ボタンとを配置し、前記第２の表示手段には、調整中の前記証明写真用画像を表示している場合において、前記調整前ボタンが操作されたとき、調整中の前記証明写真用画像に代えて、調整前の前記証明写真用画像を表示させることができる。
【００１４】
本発明の一側面の画像処理方法は、撮影を行う空間である撮影空間と、前記撮影空間での撮影によって得られた撮影画像の画像処理を行う空間である画像処理空間とが形成された画像処理装置の画像処理方法において、１種類の証明写真用画像を生成するための１人用のコースである第１のコースと複数種類の編集画像を生成するための複数人用のコースである第２のコースのうちのいずれかのコースの選択に用いられるコース選択画面を前記撮影空間に設けられる第１の表示手段に表示させ、前記コース選択画面において前記第１のコースが選択された場合、利用者を被写体として複数回の撮影を撮影手段により行うことによって複数枚の前記撮影画像を取得し、撮影を終えた前記利用者に対して、任意の１枚の前記撮影画像を前記証明写真用画像とした、前記証明写真用画像の調整に用いられる調整画面を前記画像処理空間に設けられる第２の表示手段に表示し、調整の対象となる前記証明写真用画像が１枚表示され、調整内容を選択するときに操作されるボタンが配置された前記調整画面に対する前記利用者の操作に応じて前記証明写真用画像を調整し、前記コース選択画面において前記第２のコースが選択された場合、前記利用者を被写体として前記撮影手段により撮影を行うことによって前記撮影画像を取得し、撮影を終えた前記利用者に対して、前記調整画面を表示せずに、複数枚の前記撮影画像の編集に用いられる編集画面を前記第２の表示手段に表示させ、編集の対象となる前記撮影画像と編集内容を選択するときに操作されるボタンとを含む領域が左右に形成された前記編集画面に対する前記利用者の操作に応じて、それぞれの前記領域に編集の対象として表示された前記撮影画像を編集して前記編集画像を生成するステップを含む。
【発明の効果】
【００１５】
本発明によれば、証明写真として用いることのできる画像を得るための撮影と画像の調整を含む一連の作業を、空間を移動しながら行わせることができる。
【図面の簡単な説明】
【００１６】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】画像処理ユニットの背面の構成例を示す図である。
【図７】画像処理ユニットの側面の構成例を示す図である。
【図８】編集画像が印刷されたシール紙の例を示す図である。
【図９】編集画像のレイヤ構造の例を示す図である。
【図１０】証明写真用画像が印刷されたシール紙の例を示す図である。
【図１１】証明写真用画像のレイヤ構造の例を示す図である。
【図１２】写真シール作成装置の内部の構成例を示すブロック図である。
【図１３】制御部の機能構成例を示すブロック図である。
【図１４】図１３の撮影管理部の構成例を示すブロック図である。
【図１５】図１３の画像処理管理部の構成例を示すブロック図である。
【図１６】図１３の印刷管理部の構成例を示すブロック図である。
【図１７】図１３の事後接客管理部の構成例を示すブロック図である。
【図１８】シール作成ゲーム処理について説明するフローチャートである。
【図１９】コース選択画面の例を示す図である。
【図２０】コース選択画面の他の例を示す図である。
【図２１】図１８のステップＳ３において行われる証明写真コースにおける撮影処理について説明するフローチャートである。
【図２２】撮影前ガイダンス画面の例を示す図である。
【図２３】ライブビュー表示画面の例を示す図である。
【図２４】ライブビュー表示画面の例を示す図である。
【図２５】撮影結果確認画面の例を示す図である。
【図２６】図１８のステップＳ４において行われる証明写真用画像の調整処理について説明するフローチャートである。
【図２７】画像選択画面の例を示す図である。
【図２８】画像選択画面の他の例を示す図である。
【図２９】警告画面の例を示す図である。
【図３０】調整前ガイダンス画面の例を示す図である。
【図３１】調整画面の例を示す図である。
【図３２】図３１の調整画面の一部の拡大図である。
【図３３】調整画面の例を示す図である。
【図３４】画像処理の例を示す図である。
【図３５】図３１の調整画面の他の一部の拡大図である。
【図３６】写りの組み合わせの例を示す図である。
【図３７】調整画面の例を示す図である。
【図３８】調整画面の例を示す図である。
【図３９】調整画面の例を示す図である。
【図４０】確認画面の例を示す図である。
【図４１】図１８のステップＳ５において行われる証明写真用画像の印刷処理について説明するフローチャートである。
【図４２】図１８のステップＳ６において行われる事後接客処理について説明するフローチャートである。
【図４３】メールアドレスの入力画面の例を示す図である。
【図４４】紹介画面の例を示す図である。
【図４５】図１８のステップＳ７において行われる通常コースにおける撮影処理について説明するフローチャートである。
【図４６】ライブビュー表示画面の例を示す図である。
【図４７】図１８のステップＳ８において行われる撮影画像の編集処理について説明するフローチャートである。
【図４８】目＆顔サイズ調整画面の例を示す図である。
【図４９】明るさ調整画面の例を示す図である。
【図５０】背景選択画面の例を示す図である。
【図５１】編集画面の例を示す図である。
【図５２】分割数選択画面の例を示す図である。
【図５３】図１８のステップＳ９において行われる編集画像の印刷処理について説明するフローチャートである。
【図５４】図１８のステップＳ１０において行われる事後接客処理について説明するフローチャートである。
【図５５】写真シール作成装置の処理のタイミングチャートの第１の例を示す図である。
【図５６】写真シール作成装置の処理のタイミングチャートの第２の例を示す図である。
【図５７】写真シール作成装置の処理のタイミングチャートの第３の例を示す図である。
【図５８】図１８のステップＳ７において行われる通常コースにおける他の撮影処理について説明するフローチャートである。
【図５９】調整画面の例を示す図である。
【図６０】調整画面の例を示す図である。
【図６１】証明写真用画像の選択画面の例を示す図である。
【図６２】調整画面の例を示す図である。
【図６３】証明写真用画像の選択画面の例を示す図である。
【図６４】調整画面の例を示す図である。
【図６５】証明写真用画像の選択画面の例を示す図である。
【図６６】調整画面の例を示す図である。
【図６７】調整画面の例を示す図である。
【図６８】調整画面の例を示す図である。
【図６９】調整画面の例を示す図である。
【図７０】調整画面の例を示す図である。
【図７１】調整画面の例を示す図である。
【発明を実施するための形態】
【００１７】
＜写真シール作成装置の外観構成＞
［全体の構成］
図１は、写真シール作成装置１の外観の構成例を示す斜視図である。
【００１８】
写真シール作成装置１は、撮影や編集等の作業を利用者にゲームとして行わせ、画像を提供するゲーム機である。画像の提供は、シール紙に印刷した形で行われるだけでなく、サーバに送信した画像を利用者の携帯端末上で閲覧可能にする形で行われることもある。写真シール作成装置１はゲームセンターなどの店舗に設置される。
【００１９】
写真シール作成装置１で遊ぶ利用者は、編集画像の提供を受けるため、自身が被写体となって撮影を行い、撮影によって得られた撮影画像に手書きの文字やスタンプ画像などの合成用画像を合成させるなどして、撮影画像を彩り豊かな画像に編集する。利用者は、編集済みの撮影画像である編集画像が印刷されたシール紙を受け取って一連のゲームを終了させる。
【００２０】
また、写真シール作成装置１は、証明写真として用いるための画像である証明写真用画像を利用者に提供する機能をも有する。利用者は、写真シール作成装置１の利用を開始するとき、はじめに、編集画像の提供を受けるためのゲームを行うのか、証明写真用画像の提供を受けるためのゲームを行うのかを選択することになる。
【００２１】
証明写真用画像の提供を受ける利用者は、自身が被写体となって撮影を行い、撮影によって得られた撮影画像の写りを調整することにより、証明写真用画像を生成する。利用者は、証明写真用画像が印刷されたシール紙を受け取って一連のゲームを終了させる。
【００２２】
編集画像が印刷されたシール紙を受け取ろうとする利用者は、主に２人または３人等の複数人からなる利用者のグループである。これに対し、証明写真用画像が印刷されたシール紙を受け取ろうとする利用者は、主に１人の利用者である。
【００２３】
以下、適宜、写真シール作成装置１に用意されたコースのうち、編集画像の提供を受けるためのコースを通常コースといい、証明写真用画像の提供を受けるためのコースを証明写真コースという。
【００２４】
通常コースの一連の処理には、撮影と、撮影によって得られた撮影画像の編集と、編集によって得られた編集画像の印刷が含まれる。撮影画像の編集には、被写体の明るさや肌の色などの写りを調整する処理の他に、あらかじめ用意された編集ツールを用いた所定の合成用画像を、編集対象の撮影画像上の、タッチペンなどによって利用者により指示された位置に合成する処理が含まれる。
【００２５】
一方、証明写真コースの一連の処理には、撮影と、撮影によって得られた撮影画像の中から選択した証明写真用画像の調整と、調整後の証明写真用画像の印刷が含まれる。証明写真用画像の調整には、被写体として写る人物の位置と大きさを調整する処理、および／または肌の明るさや髪の色などの写りを調整する処理がある。
【００２６】
図１に示すように、写真シール作成装置１は、基本的に、撮影ユニット１１と画像処理ユニット１２が接した状態で設置されることによって構成される。
【００２７】
撮影ユニット１１は、撮影部２１と背景部２２から構成される。撮影部２１と背景部２２は離して設置され、撮影部２１と背景部２２の間に設けられる空間が、利用者が撮影を行う撮影空間となる。
【００２８】
撮影部２１は、利用者を被写体とした撮影処理を行う装置である。撮影部２１は、撮影空間に入った利用者が撮影処理を行うために向く方向である正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４２Ａにより構成され、左側面が側面パネル４２Ｂ（図３）により構成される。
【００２９】
背景部２２は、正面を向いて撮影を行っている利用者の背面側に位置する板状の部材である背面パネル５１、背面パネル５１の右端に取り付けられ、側面パネル４２Ａより横幅の狭い板状の部材である側面パネル５２Ａ、および、背面パネル５１の左端に取り付けられ、側面パネル４２Ｂより横幅の狭い板状の部材である側面パネル５２Ｂ（図３）から構成される。
【００３０】
撮影部２１の右側面を構成する側面パネル４２Ａと背景部２２の側面パネル５２Ａは、ほぼ同一平面に設けられる。側面パネル４２Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４２Ｂと背景部２２の側面パネル５２Ｂも同様に、ほぼ同一平面に設けられ、上部において連結部２３Ｂによって連結され、下部において、床面に設けた金属製の部材である連結部２３Ｂ’（図示せず）によって連結される。
【００３１】
撮影部２１の側面パネル４２Ａ、連結部２３Ａ、および背景部２２の側面パネル５２Ａに囲まれることによって形成される開口が撮影空間の出入り口となる。また、撮影部２１の側面パネル４２Ｂ、連結部２３Ｂ、および背景部２２の側面パネル５２Ｂに囲まれることによって形成される開口も撮影空間の出入り口となる。撮影空間の内部には床材２７が設置される。利用者は、撮影空間に入り、床材２７の上に立って撮影を行うことになる。
【００３２】
背景部２２の上部には、背面パネル５１、側面パネル５２Ａ、および側面パネル５２Ｂに支持される形で背景カーテンユニット２５が設けられる。背景カーテンユニット２５には、クロマキー用の緑色の背景に利用される巻き取り式の背景カーテンが収納される。背景カーテンユニット２５は、撮影部２１に設けられたカメラ等による撮影と連動して動作し、撮影の際に、カーテンを下ろし、撮影が終了したらカーテンを巻き取る。なお、前記背景カーテンの代わりに、または、前記背景カーテンに加え、色または模様の異なる、背景に利用される巻き取り式の背景カーテンが複数収納されるようにし、背景カーテンユニット２５が、撮影部２１に設けられたカメラ等による撮影と連動して動作し、撮影の際に、例えば利用者により選択された色のカーテンを下ろし、その他のカーテンを巻き取るようにしてもよい。
【００３３】
撮影空間の上方には、撮影部２１の正面、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００３４】
画像処理ユニット１２は、通常コース時の撮影画像の編集処理、および証明写真コース時の証明写真用画像の調整処理を行う装置である。以下、適宜、撮影画像の編集と証明写真用画像の調整を区別する必要がない場合、まとめて画像処理という。
【００３５】
画像処理ユニット１２は、一方の側面が撮影部２１の背面に接するように撮影ユニット１１に連結して設けられる。画像処理ユニット１２には、画像処理時に利用者により用いられるタブレット内蔵モニタなどの構成が設けられる。
【００３６】
図１に一部が見える画像処理ユニット１２の構成を正面側の構成とすると、２組の利用者が同時に画像処理を行うことができるように、画像処理ユニット１２の正面側と背面側には画像処理に用いられる構成がそれぞれ設けられる。
【００３７】
画像処理ユニット１２の正面側は、床面に対して垂直な面であり、側面パネル４２Ａとほぼ平行な面である面７１と、面７１の上方に形成された斜面７２から構成される。斜面７２には、画像処理の作業に用いられる構成が設けられる。斜面７２の右側には、照明装置７４（図２）の一端を支持する柱状の支持部７３Ａが設けられる。斜面７２の左側にも、照明装置７４の他端を支持する柱状の支持部７３Ｂ（図２）が設けられる。支持部７３Ａの右側には、画像処理ユニット１２の側面を構成する板状のパネル７３Ｃが設けられる。パネル７３Ｃの上面にはカーテンレール２６を支持する支持部７５が設けられる。
【００３８】
画像処理ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａとレール２６Ｂの一端は、連結部２３Ａと連結部２３Ｂにそれぞれ固定され、他端にレール２６Ｃの両端が接合される。
【００３９】
カーテンレール２６には、画像処理ユニット１２の正面前方の空間と背面前方の空間の内部が外から見えないようにカーテンが取り付けられる。カーテンレール２６に取り付けられたカーテンにより囲まれる画像処理ユニット１２の正面前方の空間と背面前方の空間が、利用者が撮影画像の編集を行ったり、証明写真用画像の調整を行ったりする画像処理空間となる。
【００４０】
図２は、写真シール作成装置１を別の角度から見た斜視図である。
【００４１】
後述するように、画像処理ユニット１２の右側面には、タブレット内蔵モニタや、印刷済みのシール紙が排出されるシール紙排出口などが設けられる。画像処理ユニット１２の側面に設けられるタブレット内蔵モニタは、画像の印刷が終わるのを待っている利用者が事後接客機能を利用するときに用いられる。事後接客機能には、編集画像や証明写真用画像をサーバに送信する機能などが含まれる。画像処理ユニット１２の右側面前方の空間が、利用者が事後接客機能を利用する事後接客空間となる。
【００４２】
ここで、写真シール作成ゲームの流れと、それに伴う利用者の移動について説明する。通常コース時、証明写真コース時のいずれの場合も利用者の移動は同じである。
【００４３】
図３は、写真シール作成装置１を上から見た平面図である。
【００４４】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、コースを選択した後、撮影部２１に設けられたカメラやタッチパネルモニタなど利用してコースに応じた撮影を行う。
【００４５】
撮影を終えた利用者は、白抜き矢印＃３で示すように出入り口Ｇ１を使って撮影空間Ａ１から出て画像処理空間Ａ２−１に移動するか、白抜き矢印＃４で示すように出入り口Ｇ２を使って撮影空間Ａ１から出て画像処理空間Ａ２−２に移動する。
【００４６】
画像処理空間Ａ２−１は、画像処理ユニット１２の正面側の画像処理空間であり、画像処理空間Ａ２−２は、画像処理ユニット１２の背面側の画像処理空間である。画像処理空間Ａ２−１と画像処理空間Ａ２−２のいずれの空間に移動するのかが、撮影部２１のタッチパネルモニタの画面表示などによって案内される。例えば２つの画像処理空間のうちの空いている方の空間が移動先として案内される。
【００４７】
画像処理空間Ａ２−１または画像処理空間Ａ２−２に移動した利用者は、通常コースを選択している場合には撮影画像の編集を開始し、証明写真コースを選択している場合には証明写真用画像の調整を開始する。画像処理空間Ａ２−１の利用者と、画像処理空間Ａ２−２の利用者は同時に画像処理を行うことができる。
【００４８】
画像処理が終了した後、編集画像や証明写真用画像の印刷が開始される。画像の印刷中、画像処理空間Ａ２−１での画像処理を終えた利用者は、白抜き矢印＃５で示すように画像処理空間Ａ２−１から事後接客空間Ａ３に移動して事後接客機能を利用する。また、画像処理空間Ａ２−２での画像処理を終えた利用者は、白抜き矢印＃６で示すように画像処理空間Ａ２−２から事後接客空間Ａ３に移動して事後接客機能を利用する。
【００４９】
画像の印刷が終了したとき、利用者は、シール紙排出口からシール紙を受け取り、一連の写真シール作成ゲームを終えることになる。
【００５０】
［撮影部の構成］
図４は、撮影部２１の正面の構成例を示す図である。
【００５１】
撮影部２１は、正面パネル４１、側面パネル４２Ａ、および側面パネル４２Ｂが、箱状の形状を有するベース部４３に取り付けられることによって構成される。
【００５２】
正面パネル４１の中央からやや上側には撮影・表示ユニット８１が設けられる。撮影・表示ユニット８１は、カメラ９１、タッチパネルモニタ９２、および正面ストロボ９３から構成される。
【００５３】
カメラ９１は、例えば一眼レフカメラであり、レンズが露出するように撮影・表示ユニット８１の内部に取り付けられる。カメラ９１はCCD(Charge Coupled Device)などの撮像素子を有し、撮影空間Ａ１にいる利用者を撮影する。カメラ９１により取り込まれた動画は、タッチパネルモニタ９２にリアルタイムで表示される。また、所定のタイミングでカメラ９１により取り込まれた静止画は撮影画像として保存される。
【００５４】
カメラ９１の下に設けられたタッチパネルモニタ９２は、LCD(Liquid Crystal Display)などのモニタと、それに積層されたタッチパネルにより構成される。タッチパネルモニタ９２は、カメラ９１により取り込まれた動画を表示するライブビューモニタとしての機能と、各種のGUI(Graphical User Interface)画像を表示し、利用者の選択操作をタッチパネルにより受け付ける機能とを備えている。タッチパネルモニタ９２には、適宜、カメラ９１により取り込まれた動画（ライブビュー）や撮影画像が表示される。
【００５５】
カメラ９１の上側および左右を半円状の乳白アクリル板よりなる発光面で囲む正面ストロボ９３は、カメラ９１による撮影に合わせて発光し、被写体としての利用者の顔付近を正面から照射する。
【００５６】
撮影・表示ユニット８１の上方には、曲面の発光面を利用者に向けた右上ストロボ８２および左上ストロボ８３が設置される。右上ストロボ８２および左上ストロボ８３は、カメラ９１による撮影に合わせて発光することで、上方から利用者を照射する。
【００５７】
ベース部４３の正面には利用者の足元を照射する足元ストロボ８４が設けられる。足元ストロボ８４の右側には、利用者が硬貨を入れる硬貨投入返却口８５が設けられる。
【００５８】
ベース部４３の上面には、足元ストロボ８４の上面を挟んでスペース４３Ａおよび４３Ｂが左右に形成される。スペース４３Ａおよび４３Ｂは、撮影を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００５９】
［背景部の構成］
図５は、背景部２２の撮影空間Ａ１側の構成例を示す図である。
【００６０】
背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６１】
背面パネル５１の出入り口Ｇ１側の位置には、撮影空間Ａ１内で撮影処理を行っている利用者を右後方から照射する背面右ストロボ１０２が取り付けられる。また、背面パネル５１の出入り口Ｇ２側の位置には、撮影空間Ａ１内で撮影処理を行っている利用者を左後方から照射する背面左ストロボ１０３が取り付けられる。
【００６２】
［画像処理ユニットの構成］
図６は、画像処理ユニット１２の背面側（画像処理空間Ａ２−２側）の構成例を示す図である。
【００６３】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６４】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、通常コース時には例えば編集画面が表示される。編集画面は、撮影画像の編集に用いられる画面である。２人で同時に編集を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６５】
また、タブレット内蔵モニタ１３１には、証明写真コース時には例えば調整画面が表示される。調整画面は、証明写真用画像の調整に用いられる画面である。例えばタッチペン１３２Ａとタッチペン１３２Ｂのいずれかを用いて調整が行われる。
【００６６】
図７は、画像処理ユニット１２の右側面の構成例を示す図である。
【００６７】
画像処理ユニット１２の側面にはタブレット内蔵モニタ１６１が設けられる。タブレット内蔵モニタ１６１には、事後接客機能を利用するときに用いられる画面が表示される。
【００６８】
タブレット内蔵モニタ１６１の下には、事後接客機能の案内音声、BGM、効果音等などを出力するスピーカ１６２が設けられる。スピーカ１６２の下にはシール紙排出口１６３が設けられる。画像処理ユニット１２の内部にはプリンタが設けられており、編集画像または証明写真用画像が所定のレイアウトでシール紙に印刷され、シール紙排出口１６３から排出される。
【００６９】
＜シール紙の例＞
図８は、編集画像が印刷されたシール紙の例を示す図である。
【００７０】
図８Ａは、６枚の編集画像が２行３列のレイアウトに配置されて印刷されたシール紙を示し、図８Ｂは、６枚の編集画像が３行２列のレイアウトに配置されて印刷されたシール紙を示す。
【００７１】
６枚の編集画像は、それぞれ、２人の利用者が異なる構図で写る６種類の画像である。通常コース時には、例えば静止画の撮影が６回行われ、６枚の撮影画像に対してそれぞれ編集が施された後、シール紙に印刷される。図８の例においては、それぞれの撮影画像は若干傾いて印刷されている。
【００７２】
撮影画像に写る利用者の背景には所定の色や模様の画像である背景画像が合成され、前景には、手書きの文字やスタンプ画像などの合成用画像が合成される。例えば図８Ａの６枚のうちの上段左端の編集画像に含まれる「Love my friend」の文字は手書きの文字であり、下段中央の編集画像に含まれるハート型の画像はスタンプ画像である。
【００７３】
シール紙の縁の余白領域には、機種名、撮影日の他に、メールアドレスとIDが印刷される。余白領域に印刷されたメールアドレスとIDは、サーバに送信された編集画像を携帯電話機などの携帯端末で閲覧するときに利用される。
【００７４】
図９は、編集画像のレイヤ構造の例を示す図である。
【００７５】
編集画像Ｐ１は、背景画像Ｐ１１、撮影画像Ｐ１２、前景画像Ｐ１３の各レイヤから構成される。図９の背景画像Ｐ１１は、所定の色の地にハートや星などの模様が表された画像であり、前景画像Ｐ１３は、落書きによって入力された「Love my friend」の手書き文字を含む画像である。
【００７６】
編集画像Ｐ１は、撮影画像Ｐ１２の被写体の領域を背景画像Ｐ１１に重ね、その上に前景画像Ｐ１３を重ねることによって生成される。
【００７７】
図１０は、証明写真用画像が印刷されたシール紙の例を示す図である。
【００７８】
図１０のシール紙は、６枚の証明写真用画像が２行３列のレイアウトに配置されて印刷されたシール紙である。
【００７９】
６枚の証明写真用画像は、１人の利用者の、略胸から上、頭より若干上までの範囲がほぼ中央に写る、構図が同じ１種類の画像である。証明写真コース時には、例えば静止画の撮影が４回行われ、４枚の撮影画像の中から選択された１枚の撮影画像を証明写真用画像として、調整が施された後にシール紙に印刷される。
【００８０】
シール紙の左下には、金額、日にちなどからなる領収証が印刷され、右下には、証明写真用画像の使い方などに関する注意書きが印刷される。注意書きの下には、サーバに送信された証明写真用画像を携帯電話機で閲覧するときに利用されるメールアドレスとIDが印刷される。以下、適宜、編集画像または証明書用画像を携帯電話機で見ることができるようにサーバに送信する仕組みのことを「携帯送信」という。
【００８１】
利用者は、シール紙に印刷された証明写真用画像をはさみなどで切り取り、履歴書などの書類に貼り付けて使うことになる。印刷媒体がシール紙であるから、履歴書などに貼り付けるときに糊付けが不要となる。
【００８２】
図１１は、証明写真用画像のレイヤ構造の例を示す図である。
【００８３】
証明写真用画像Ｐ２１は、背景画像Ｐ３１と撮影画像Ｐ３２の各レイヤから構成される。図１１の背景画像Ｐ３１は、所定の色の無地の画像であり、通常コース時に用いられる背景画像にあるような模様などは含まれない。
【００８４】
証明写真用画像Ｐ２１は、撮影画像Ｐ３２の被写体の領域を背景画像Ｐ３１に重ねることによって生成される。
【００８５】
以上のような外観構成を有する写真シール作成装置１によっては、このような編集画像が印刷されたシール紙、あるいは証明写真用画像が印刷されたシール紙が生成される。
【００８６】
＜写真シール作成装置の内部構成＞
［ハードウェア構成］
図１２は、写真シール作成装置１の内部の構成例を示すブロック図である。上述した構成と同じ構成には同じ符号を付してある。重複する説明については適宜省略する。
【００８７】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、画像処理部２０９Ａ、画像処理部２０９Ｂ、および事後接客部２１０の各構成も接続される。
【００８８】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００８９】
通信部２０３は、インターネットなどのネットワークのインタフェースであり、制御部２０１による制御に従って外部の装置と通信を行う。通信部２０３は、編集画像や証明写真用画像をサーバに送信する。
【００９０】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００９１】
ROM２０６には、制御部２０１において実行されるプログラムやデータが記憶されている。RAM２０７は、制御部２０１が処理するデータやプログラムを一時的に記憶する。
【００９２】
撮影部２０８は、撮影空間Ａ１にいる利用者を対象とした撮影処理を行う。撮影部２０８は、硬貨処理部２２１、背景制御部２２２、照明装置２２３、カメラ９１、タッチパネルモニタ９２、およびスピーカ２２４から構成される。
【００９３】
硬貨処理部２２１は、硬貨投入返却口８５に対する硬貨の投入を検出する。硬貨処理部２２１は、４００円などの所定の金額分の硬貨が投入されたことを検出した場合、そのことを表す起動信号を制御部２０１に出力する。
【００９４】
背景制御部２２２は、制御部２０１より供給される背景制御信号に従って背景カーテンユニット２５を制御し、背景カーテンの上げ下げを行う。背景カーテンの上げ下げが利用者により手動で行われるようにしてもよい。
【００９５】
例えば、証明写真コースと通常コースとで、異なる背景カーテンが用いられる。
【００９６】
照明装置２２３は、制御部２０１から供給される照明制御信号に従って、撮影空間Ａ１内の各ストロボの発光を制御する。撮影空間Ａ１には、天井ストロボユニット２４のストロボの他に、撮影部２１の右上ストロボ８２、左上ストロボ８３、足元ストロボ８４、正面ストロボ９３、背景部２２の背面中央ストロボ１０１、背面右ストロボ１０２、背面左ストロボ１０３が設けられる。
【００９７】
例えば、証明写真コースと通常コースとで、異なるストロボが静止画の撮影時に動作する。また、ストロボの発光量や光の色味が、証明写真コースと通常コースとで切り替えられる。
【００９８】
カメラ９１は、制御部２０１による制御に従って撮影を行い、撮影によって得られた画像を制御部２０１に出力する。
【００９９】
画像処理部２０９Ａは、画像処理空間Ａ２−１にいる利用者を対象とした画像処理を行う。画像処理部２０９Ａは、タブレット内蔵モニタ１３１、タッチペン１３２Ａ，１３２Ｂ、およびスピーカ２３１から構成される。画像処理部２０９Ｂは、画像処理部２０９Ａと同一の構成を有しており、画像処理空間Ａ２−２にいる利用者を対象とした画像処理を行う。
【０１００】
タブレット内蔵モニタ１３１は、制御部２０１による制御に従って編集画面または調整画面を表示し、画面に対する利用者の操作を検出する。利用者の操作の内容を表す信号は制御部２０１に供給され、利用者の操作に応じて画像処理が行われる。
【０１０１】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６２、およびプリンタ２４１から構成される。プリンタ２４１にはシール紙ユニット２４２が装着される。
【０１０２】
プリンタ２４１は、制御部２０１から供給された印刷データに基づいて、編集画像や証明写真用画像をシール紙ユニット２４２に収納されているシール紙に印刷し、シール紙排出口１６３に排出する。制御部２０１からプリンタ２４１に対しては、各画像が配置されたイメージデータが印刷データとして供給される。
【０１０３】
［制御部の構成］
図１３は、図１２の制御部２０１の機能構成例を示すブロック図である。図１３に示す機能部のうちの少なくとも一部は、制御部２０１内のCPUにより所定のプログラムが実行されることによって実現される。
【０１０４】
制御部２０１においては、撮影管理部３０１、画像処理管理部３０２、印刷管理部３０３、事後接客管理部３０４、およびシーケンス管理部３０５が実現される。
【０１０５】
撮影管理部３０１は、撮影部２０８の各部を制御し、写真シール作成装置１を利用する際に投入される代金に関する処理や撮影処理を行う。画像処理管理部３０２は、画像処理部２０９Ａ、画像処理部２０９Ｂの各部を制御し、画像処理を行う。印刷管理部３０３は、事後接客部２１０のプリンタ２４１を制御し、印刷処理を行う。事後接客管理部３０４は、事後接客部２１０のタブレット内蔵モニタ１６１を制御するなどして事後接客処理を行う。シーケンス管理部３０５は、利用者が行うゲームの全体のシーケンスを管理する。
【０１０６】
図１４は、撮影管理部３０１の構成例を示すブロック図である。
【０１０７】
撮影管理部３０１は、ガイダンス出力制御部３２１、表示制御部３２２、カメラ制御部３２３、および撮影画像記憶部３２４から構成される。
【０１０８】
ガイダンス出力制御部３２１は、撮影の進め方などを説明するガイダンスの出力を制御する。ガイダンス出力制御部３２１は、表示制御部３２２を制御し、撮影の進め方などを説明する画面を表示させたり、音声をスピーカ２２４から出力させたりする。
【０１０９】
表示制御部３２２は、タッチパネルモニタ９２の表示を制御する。例えば、表示制御部３２２は、カメラ制御部３２３から供給された動画に基づいてライブビューをタッチパネルモニタ９２に表示させる。
【０１１０】
カメラ制御部３２３は、撮影処理が開始されたとき、カメラ９１を制御して動画を撮影する。カメラ制御部３２３により撮影された動画はライブビューの表示に用いられる。また、カメラ制御部３２３は、所定のタイミングで静止画の撮影を行い、撮影画像を表示制御部３２２と撮影画像記憶部３２４に出力する。表示制御部３２２に出力された撮影画像は撮影結果の確認に用いられる。
【０１１１】
撮影画像記憶部３２４は、カメラ制御部３２３から供給された撮影画像を記憶する。撮影画像記憶部３２４に記憶された撮影画像は、編集処理の開始時、または調整処理の開始時に画像処理管理部３０２により読み出される。
【０１１２】
図１５は、画像処理管理部３０２の構成例を示すブロック図である。
【０１１３】
画像処理管理部３０２は、ガイダンス出力制御部３３１、表示制御部３３２、編集部３３３、調整部３３４、および画像記憶部３３５から構成される。
【０１１４】
ガイダンス出力制御部３３１は、編集や調整の進め方などを説明するガイダンスの出力を制御する。ガイダンス出力制御部３３１は、表示制御部３３２を制御し、編集や調整の進め方などを説明する画面を表示させたり、音声をスピーカ２３１から出力させたりする。
【０１１５】
表示制御部３３２は、タブレット内蔵モニタ１３１の表示を制御する。例えば、表示制御部３２２は、通常コースを選択した利用者が撮影を終えた場合には編集画面をタブレット内蔵モニタ１３１に表示させ、証明写真コースを選択した利用者が撮影を終えた場合には調整画面をタブレット内蔵モニタ１３１に表示させる。
【０１１６】
編集部３３３は、撮影画像の編集（落書き）を行う。編集部３３３は、画像処理空間Ａ２−１または画像処理空間Ａ２−２にいる利用者が、通常コースを選択した利用者である場合に処理を行うことになる。
【０１１７】
撮影画像の編集は、利用者の操作に応じて、手書きの文字やスタンプ画像などの合成用画像を撮影画像に重ねるなどして進められる。タブレット内蔵モニタ１３１からは、利用者の操作の内容を表す信号が供給される。編集部３３３による処理の結果は表示制御部３３２に供給され、編集画面に表示される。編集部３３３は、編集済みの撮影画像である編集画像を画像記憶部３３５に出力する。
【０１１８】
調整部３３４は、証明写真用画像の調整を行う。調整部３３４は、画像処理空間Ａ２−１または画像処理空間Ａ２−２にいる利用者が、証明写真用コースを選択した利用者である場合に処理を行うことになる。
【０１１９】
証明写真用画像の調整は、利用者の操作に応じて、被写体の位置、明るさ、背景画像の色を変えるなどして進められる。タブレット内蔵モニタ１３１からは、利用者の操作の内容を表す信号が供給される。調整部３３４による処理の結果は表示制御部３３２に供給され、調整画面に表示される。調整部３３４は、調整済みの証明写真用画像を画像記憶部３３５に出力する。
【０１２０】
画像記憶部３３５は、編集部３３３から供給された編集画像、または調整部３３４から供給された証明写真用画像を記憶する。画像記憶部３３５に記憶された画像は、印刷処理の開始時に印刷管理部３０３により読み出される。
【０１２１】
図１６は、印刷管理部３０３の構成例を示すブロック図である。
【０１２２】
印刷管理部３０３は、印刷データ生成部３４１とプリンタ制御部３４２から構成される。
【０１２３】
印刷データ生成部３４１は、通常コースにおける印刷処理の開始時、画像記憶部３３５に記憶されている編集画像を読み出し、所定のレイアウトに配置することによってイメージデータを生成する。また、印刷データ生成部３４１は、証明写真コースにおける印刷処理の開始時、画像記憶部３３５に記憶されている証明写真用画像を読み出し、所定のレイアウトに配置することによってイメージデータを生成する。印刷データ生成部３４１は、生成したイメージデータを印刷データとしてプリンタ制御部３４２に出力する。
【０１２４】
プリンタ制御部３４２は、プリンタ２４１を制御し、印刷データ生成部３４１により生成された印刷データに基づいて画像をシール紙に印刷させる。
【０１２５】
図１７は、事後接客管理部３０４の構成例を示すブロック図である。
【０１２６】
事後接客管理部３０４は、表示制御部３５１と通信制御部３５２から構成される。
【０１２７】
表示制御部３５１は、タブレット内蔵モニタ１６１の表示を制御する。例えば、表示制御部３５１は、携帯送信の機能を利用することが選択された場合、利用者が使う携帯端末のメールアドレスの入力画面をタブレット内蔵モニタ１６１に表示させる。
【０１２８】
通信制御部３５２は、通信部２０３を制御し、編集画像や証明写真用画像をサーバに送信する。また、通信制御部３５２は、利用者により入力されたメールアドレスをサーバに送信する。
【０１２９】
＜写真シール作成装置の動作＞
次に、以上のような構成を有する写真シール作成装置１の動作について説明する。
【０１３０】
［シール作成ゲーム提供処理］
はじめに、図１８のフローチャートを参照して、シール作成ゲームを提供する写真シール作成装置１の一連の処理について説明する。
【０１３１】
ステップＳ１において、写真シール作成装置１の制御部２０１は、所定の金額分の硬貨が投入されたか否かを硬貨処理部２２１から供給される信号に基づいて判定し、投入されたと判定するまで待機する。
【０１３２】
硬貨が投入されたとステップＳ１において判定した場合、ステップＳ２において、撮影管理部３０１の表示制御部３２２は、コース選択画面をタッチパネルモニタ９２に表示させる。
【０１３３】
このように、写真シール作成装置１においては、代金の投入後にコースの選択が行われる。すなわち、証明写真コースによって証明写真用画像の提供を受ける場合でも、その金額は通常コースで遊ぶ場合と同じ金額になる。
【０１３４】
図１９は、コース選択画面の例を示す図である。
【０１３５】
コース選択画面の上方には「撮りたいコースを選んでね」のメッセージが表示される。メッセージの隣に表示される数字はコースの選択に設定された制限時間である。
【０１３６】
コース選択画面の中央左側には、２人用コースを選択するときに操作される大きな略正方形のボタンである２人用コース選択ボタン４０１が表示される。２人用コース選択ボタン４０１の内側には、２人用コースで撮影を行ったときに得られる画像のサンプルが表示される。
【０１３７】
２人用コース選択ボタン４０１の右側には、３人用コースを選択するときに操作される長方形のボタンである３人用コース選択ボタン４０２と、４人用コースを選択するときに操作される長方形のボタンである４人用コース選択ボタン４０３が縦に並べて表示される。３人用コース選択ボタン４０２の内側には３人用コースで撮影を行ったときに得られる画像のサンプルが１枚表示され、４人用コース選択ボタン４０３の内側には４人用コースで撮影を行ったときに得られる画像のサンプルが１枚表示される。
【０１３８】
サンプル画像が表示されることにより、利用者はそれぞれのコースによって得られる画像の画角を確認することができる。図１９に示すように、少人数の撮影コースを選択したときに得られる画像より、大人数の撮影コースを選択したときに得られる画像の方が、垂直方向の長さに対する水平方向の長さが長い。
【０１３９】
コース選択画面の下方には、証明写真コースを選択するときに操作されるボタンである証明写真コース選択ボタン４０４が表示される。証明写真コース選択ボタン４０４の内側には、証明写真用画像のサンプルが１枚表示されるとともに、１人用のコースであることと、証明写真用画像の用途が履歴書用（横×縦が３cm×４cm）であることを表す情報が表示される。
【０１４０】
図２０は、証明写真コース選択ボタン４０４を操作したときにコース選択画面に重ねて表示されるポップアップの例を示す図である。
【０１４１】
証明写真コース選択ボタン４０４を操作したとき、コース選択画面に重ねてウインドウ４１１が表示される。ウインドウ４１１には、証明写真コースでゲームを開始してよいのかを確認する旨のメッセージが表示され、その下に、証明写真コースでゲームを開始するときに操作されるYESボタンであるボタン４１１Ａと、コースの選択をやり直すときに操作されるNOボタンであるボタン４１１Ｂが並べて表示される。
【０１４２】
ボタン４１１Ａとボタン４１１Ｂの下には、証明写真コースが１人用のコースであることと、証明写真用画像のサイズが履歴書や願書に使用できるサイズ（横×縦が３cm×４cm）であることを表す情報が表示される。また、証明写真用画像の写りに関する説明が表示される。このとき、履歴書や願書に使用できるサイズとして他のサイズが表示され、選択させるようにしてもよい。
【０１４３】
YESボタンであるボタン４１１Ａが操作されたとき、証明写真コースのゲームが開始される。一方、NOボタンであるボタン４１１Ｂが操作されたとき、ウインドウ４１１が閉じ、タッチパネルモニタ９２の表示は、図１９のコース選択画面が表示される状態に戻る。
【０１４４】
証明写真コースを選択したときにこのような確認画面を表示させることにより、通常コースで編集画像を作りたいと思っている利用者が間違って証明写真コースを選択してしまうことを防ぐことができる。
【０１４５】
また、証明写真コースを選択した利用者に、ゲームを進めることで得られる証明写真用画像のサイズなどを確認させることができる。
【０１４６】
このようなコース選択画面を用いて利用者により選択されたコースを表す情報は、シーケンス管理部３０５に供給される。なお、いずれのコースも選択せずに制限時間が経過したとき、例えば２人用コースが自動的に選択される。
【０１４７】
コース選択画面において証明写真コース選択ボタン４０４が操作され、続けて図２０のYESボタンであるボタン４１１Ａが操作されることによって証明写真用コースが選択された場合、ステップＳ３において、撮影管理部３０１は証明写真コースにおける撮影処理を行う。
【０１４８】
ステップＳ４において、画像処理管理部３０２は、画像処理空間Ａ２−１と画像処理空間Ａ２−２のうち、撮影を終えた利用者の移動先とした方の画像処理空間に対応する画像処理部２０９Ａまたは画像処理部２０９Ｂを制御して、証明写真コースにおける調整処理を行う。調整処理においては、証明写真用画像として用いる撮影画像が選択され、選択された証明写真用画像に対して調整が行われる。
【０１４９】
ステップＳ５において、印刷管理部３０３は、証明写真コースにおける印刷処理を行う。印刷処理により、調整後の証明写真用画像があらかじめ決められたレイアウトに従ってシール紙に印刷される。
【０１５０】
ステップＳ６において、事後接客管理部３０４は、印刷が終わるのを待っている利用者に対する事後接客処理を行う。事後接客処理は印刷処理と適宜並行して行われる。事後接客管理部３０４は、証明写真用画像を携帯端末に送信する処理を事後接客処理として行う。
【０１５１】
印刷が終了したとき、証明写真用画像が印刷されたシール紙がシール紙排出口１６３に排出される。利用者は、シール紙をシール紙排出口１６３から取り出して一連のゲームを終える。証明写真コースを選択した場合に行われる各処理の詳細については、後に詳述する。
【０１５２】
一方、コース選択画面において２人用コース選択ボタン４０１、３人用コース選択ボタン４０２、または４人用コース選択ボタン４０３が操作されることによって通常コースが選択された場合、ステップＳ７において、撮影管理部３０１は通常コースにおける撮影処理を行う。
【０１５３】
ステップＳ８において、画像処理管理部３０２は、画像処理空間Ａ２−１と画像処理空間Ａ２−２のうち、撮影を終えた利用者の移動先とした方の画像処理空間に対応する画像処理部２０９Ａまたは画像処理部２０９Ｂを制御して、通常コースにおける編集処理を行う。編集処理においては、編集対象とする画像を適宜切り替えて複数枚の撮影画像に対してそれぞれ編集が施される。
【０１５４】
ステップＳ９において、印刷管理部３０３は、通常コースにおける印刷処理を行う。印刷処理により、利用者により選択されたレイアウトに従って、複数の編集画像がシール紙に印刷される。
【０１５５】
ステップＳ１０において、事後接客管理部３０４は、印刷が終わるのを待っている利用者に対する事後接客処理を行う。事後接客管理部３０４は、編集画像を携帯端末に送信する処理を事後接客処理として行う。
【０１５６】
印刷が終了したとき、編集画像が印刷されたシール紙がシール紙排出口１６３に排出される。利用者は、シール紙をシール紙排出口１６３から取り出して一連のゲームを終える。通常コースを選択した場合に行われる各処理の詳細については、後に詳述する。
【０１５７】
各処理は、写真シール作成装置１を利用する利用者の数や写真シール作成装置１の利用を始めたタイミングなどに応じて適宜並行して行われる。各処理のタイミングがシーケンス管理部３０５により制御される。
【０１５８】
以上のように、利用者は、ゲームセンターなどに設置される写真シール作成装置１を用いて、証明写真用画像の撮影を行うことができる。また、編集画像が印刷されたシール紙を受け取るためのゲームを行ったついでに証明写真用画像の撮影を行うことができるため、専用機が設置されている場所や写真スタジオにわざわざ行く必要がない。
【０１５９】
写真シール作成装置１の主な利用者は女子中高生であるが、女子中高生の中には、証明写真を撮影するための専用機に入りづらいなどの印象を持っている人もいる。ゲームセンターなどに設置される写真シール作成装置１を用いて証明写真用画像を撮影できるようにすることにより、証明写真用画像の撮影を気軽に行うことが可能になる。
【０１６０】
編集画像が印刷されたシール紙を受け取るためのゲームの金額と同じ金額で証明写真用画像の撮影を行うことができることも、気軽に証明写真用画像の撮影を行うことにつながる。
【０１６１】
さらに、編集画像が印刷されたシール紙を受け取るためのゲームに慣れている利用者にとっては、そのゲームと同じように場所を移動しながら証明写真用画像の撮影や調整を行うことができるため、操作に迷うことなく、証明写真用画像の撮影などを進めることができる。撮影後の調整を、撮影空間Ａ１とは異なる空間で行うことができるため、同じ空間に居続けることに対する抵抗感も少ない。
【０１６２】
撮影空間Ａ１は、複数人で入って撮影を行うことができるような広い空間である。そのような広い空間が確保されていることから、１人がぎりぎり入れるような狭い空間で撮影を行う場合に較べて、入ることに対する抵抗感も少ない。
【０１６３】
［証明写真コースにおける撮影処理］
次に、図２１のフローチャートを参照して、図１８のステップＳ３において行われる証明写真コースにおける撮影処理について説明する。
【０１６４】
ステップＳ２１において、撮影管理部３０１のガイダンス出力制御部３２１は、表示制御部３２２を制御し、撮影の仕方を説明する画面をタッチパネルモニタ９２に表示させるなどして撮影前ガイダンスを出力する。
【０１６５】
図２２は、撮影前ガイダンス画面の例を示す図である。
【０１６６】
撮影前ガイダンス画面の略中央には、縦長長方形の領域である画像表示領域４３１が設けられる。画像表示領域４３１の横：縦の比は、例えば、証明写真用画像の横：縦の比と同じ３：４である。上述したように、証明写真用画像のサイズは横×縦の長さが３cm×４cmである。
【０１６７】
撮影前ガイダンス画面の画像表示領域４３１には、はじめに、モデルとなる人物Ｈ１が映る動画が表示される。図２２の例においては、人物Ｈ１の略胸より上、頭より若干上までの範囲が映っている。画像表示領域４３１に表示される動画は、人物Ｈ１が身だしなみを整える様子の動画である。
【０１６８】
動画の表示に合わせて、ガイダンス出力制御部３２１により、例えば「まずは身だしなみの確認です。前髪は目にかからないように整え、髪型のチェックをしましょう。襟元までしっかり確認し、衣服をまっすぐに整えましょう。」などの音声がスピーカ２２４から出力される。
【０１６９】
また、画像表示領域４３１には、身だしなみを整える様子の動画に続けて、人物Ｈ１の略胸より上、頭より若干上までの範囲の静止画が表示される。静止画ではなく、頭の位置などを調整する様子の人物Ｈ１の動画が表示されるようにしてもよい。
【０１７０】
図２２に示すように、人物Ｈ１の静止画に重ねて、顔の位置と大きさの目安を表すガイドラインが表示される。ガイドラインは、頭の一番上（てっぺん）の位置の目安となる高さを表す水平線４３１Ａ、あごの位置の目安となる高さを表す水平線４３１Ｂ、および、顔の中心の水平方向の目安となる位置を表す垂直線４３１Ｃから構成される。
【０１７１】
画像表示領域４３１に表示される静止画は、垂直線４３１Ｃが顔の中心を通るとともに、水平線４３１Ａの近くに頭の一番上の位置を合わせ、水平線４３１Ｂの近くにあごの一番下の位置を合わせた人物Ｈ１の静止画である。
【０１７２】
静止画の表示に合わせて、ガイダンス出力制御部３２１により、例えば「次に頭のてっぺんとあごの先を赤いガイドラインに合わせてください。背筋を伸ばし、肩を水平にしましょう。中心がずれないように注意してください。あごを少し引いてください。口角を上げて目をぱっちり開き、リラックスしてカメラを見てください。」などの音声がスピーカ２２４から出力される。
【０１７３】
画像表示領域４３１の隣には、適宜、撮影のポイントの説明として、「前髪を整えましょう」、「襟元をまっすぐにしましょう」、「背筋を伸ばし、肩を水平にしましょう」、「あごを少し引きましょう」、「口角を上げましょう」、「目をしっかり開きましょう」などの文字情報も表示される。
【０１７４】
画像表示領域４３１の右下には、撮影前ガイダンスを終えるときに操作されるSKIPボタン４３２が表示される。
【０１７５】
SKIPボタン４３２が操作されたとき、または、撮影前ガイダンスが最後まで終わったとき、ステップＳ２２において、表示制御部３２２は、ライブビューの表示を開始する。カメラ９１による動画の撮影が開始され、撮影によって得られた、利用者が映る動画がカメラ制御部３２３から表示制御部３２２に供給される。
【０１７６】
図２３は、ライブビュー表示画面の例を示す図である。
【０１７７】
ライブビュー表示画面の略中央に設けられた画像表示領域４３１には、人物Ｈ２が写る動画がリアルタイムで表示される。人物Ｈ２は利用者自身である。利用者は、画像表示領域４３１に表示される自分の写りを見て、身だしなみの確認などを行うことができる。
【０１７８】
画像表示領域４３１には、撮影前ガイダンス画面に表示されていたものと同じ、水平線４３１Ａ、水平線４３１Ｂ、および垂直線４３１Ｃからなるガイドラインが利用者の動画に重ねて表示される。利用者は、立ち位置を前後左右に変えるなどして、垂直線４３１Ｃが中心を通るように顔の位置を合わせるとともに、水平線４３１Ａに頭の一番上の位置を合わせ、水平線４３１Ｂにあごの一番下の位置を合わせることになる。
【０１７９】
ガイドラインが顔の位置と大きさの目安としてライブビューに重ねて表示されるため、利用者は、立ち位置をどこにして撮影を行えばいいのかを確認することができる。
【０１８０】
顔の位置と大きさの目安を表す線がガイドラインとして表示されるものとしたが、顔の位置と大きさの目安を表す画像は直線画像に限られるものではない。例えば、顔の位置と大きさの目安を曲線の画像によって表すようにしてもよいし、楕円形などの所定の形状の画像によって表すようにしてもよい。
【０１８１】
また、顔の位置と大きさの目安を表す画像が表示されるものとしたが、人物の、顔以外の部分の位置と大きさを表す画像が表示されるようにしてもよい。例えば、肩の位置と大きさ、目の位置と大きさ、鼻の位置と大きさを表す画像を表示するようにしてもよい。
【０１８２】
さらに、顔の位置と大きさの両方の目安となる画像が表示されるものとしたが、位置と大きさのうちのいずれかの目安となる画像が表示されるようにしてもよい。
【０１８３】
撮影が立った状態で行うものであるため、図２３に示すようなライブビューを見たとしても、人物（利用者自身）の位置と大きさを正確に調整することは困難である。後述するように、撮影画像に写る人物の位置と大きさの調整は、証明写真用画像の調整時にも行われ、そのときの調整によって最終的に決定されるようになされている。
【０１８４】
撮影時にライブビューを見ながら行われる人物の位置と大きさの一段階目の調整が、立った状態で行う粗い調整となり、証明写真用画像の調整時に行われる二段階目の調整が、最終的な微調整となる。利用者は、撮影時には、大体の大きさで、大体の位置に写るように自分の立ち位置を調整すればよいことになる。
【０１８５】
なお、カメラ９１の撮影範囲（画角）は、画像表示領域４３１に表示される範囲よりも広いものとされる。カメラ９１により撮影された動画のうち、所定の範囲が切り出され、画像表示領域４３１の表示に用いられる。
【０１８６】
ライブビューの表示に合わせて、身だしなみを整えたり、顔の位置を合わせたりすることを促す音声のガイダンスも出力される。このようなライブビューが所定の時間表示された後、撮影前のカウントダウンが開始される。カウントダウンは、例えば撮影タイミングの１０秒前から開始される。
【０１８７】
図２４は、カウントダウンの表示を含むライブビュー表示画面の例を示す図である。
【０１８８】
カウントダウンが開始されたとき、図２４に示すように、ガイドラインの表示が消え、画像表示領域４３１の左右には、撮影までの秒数を表す数字が音声によるカウントダウンに合わせて表示される。画像表示領域４３１の下には、「撮影します。カメラを見てください。」のメッセージが表示される。
【０１８９】
このようなライブビュー表示画面がタッチパネルモニタ９２に表示された状態で撮影のタイミングになったとき、ステップＳ２３において、カメラ制御部３２３は１回目の静止画の撮影を行う。
【０１９０】
ライブビューの表示を開始してから１回目の撮影までの時間として、通常コースにおける時間より、証明写真コースにおける時間の方を長く確保するようにしてもよい。カメラ制御部３２３は、図２３に示すライブビュー表示画面の表示が開始された場合、通常コース時における１回目の撮影までの時間より長い時間が経過した後に１回目の撮影を行うことになる。
【０１９１】
性質上、証明写真用画像の方が、通常コース時に得られる編集画像より、身だしなみや被写体の位置などの自由度が低い。ライブビューの表示開始後、１回目の撮影までの時間が長く確保されることにより、証明写真コースで撮影を行う利用者は、身だしなみを整えたり、立ち位置を適切な位置に調整したりすることを、より時間をかけて行うことができる。
【０１９２】
カメラ制御部３２３は、１回目の撮影によって得られた静止画である撮影画像を表示制御部３２２に出力するとともに、撮影画像記憶部３２４に出力し、記憶させる。
【０１９３】
ステップＳ２４において、カメラ制御部３２３は、１回目の撮影結果をタッチパネルモニタ９２に表示させる。
【０１９４】
図２５は、撮影結果確認画面の例を示す図である。
【０１９５】
撮影結果確認画面の画像表示領域４３１には、直前の撮影によって得られた撮影画像が表示される。画像表示領域４３１の下には「撮影結果です。」のメッセージが表示される。利用者は、このような撮影結果確認画面から、直前に撮影された撮影画像を確認することができる。
【０１９６】
撮影結果確認画面が所定の時間だけ表示された後、ライブビューの表示が再開され、２回目以降の撮影が行われる。
【０１９７】
すなわち、図２３、図２４のライブビュー表示画面が表示制御部３２２により表示され、２回目の撮影タイミングになったとき、ステップＳ２５において、カメラ制御部３２３は、２回目の静止画の撮影を行う。カメラ制御部３２３は、撮影によって得られた撮影画像を表示制御部３２２に出力するとともに、撮影画像記憶部３２４に出力し、記憶させる。
【０１９８】
ステップＳ２６において、表示制御部３２２は、２回目の撮影によって得られた撮影画像を表示する撮影結果確認画面をタッチパネルモニタ９２に表示させる。
【０１９９】
以上の処理が、あらかじめ設定されている撮影回数だけ繰り返される。撮影回数が例えば４回として設定されている場合、ステップＳ２７において、カメラ制御部３２３は３回目の撮影を行い、ステップＳ２８において、表示制御部３２２は、３回目の撮影によって得られた撮影画像を含む撮影結果確認画面をタッチパネルモニタ９２に表示させる。
【０２００】
ステップＳ２９において、カメラ制御部３２３は４回目の撮影を行い、ステップＳ３０において、表示制御部３２２は、４回目の撮影によって得られた撮影画像を含む撮影結果確認画面をタッチパネルモニタ９２に表示させる。
【０２０１】
直前の撮影から次の撮影までの時間、すなわち撮影間隔についても、通常コースにおける時間より、証明写真コースにおける時間の方を長く確保するようにしてもよい。直前の撮影から次の撮影までの間、ライブビューが表示されることにより、利用者は、次の撮影に備えて身だしなみを整えたり、立ち位置を適切な位置に調整し直したりすることを、より時間をかけて行うことができる。
【０２０２】
ステップＳ３１において、表示制御部３２２は、通常コースの紹介画面をタッチパネルモニタ９２に表示させる。通常コースの紹介画面には、通常コース時に行うことができる、撮影画像の編集の内容を表す画像などが表示される。
【０２０３】
ステップＳ３２において、表示制御部３２２は、撮影を終えた利用者に対して、画像処理空間Ａ２−１または画像処理空間Ａ２−２への移動を案内する。画像処理空間Ａ２−１または画像処理空間Ａ２−２への移動の案内は、タッチパネルモニタ９２に画面を表示させることによって、または、スピーカ２２４から音声を出力することによっても行われる。
【０２０４】
利用者は、撮影空間Ａ１から出て、案内された方の画像処理空間に移動して証明写真用画像の調整を行うことになる。その後、図１８のステップＳ３に戻り、それ以降の処理が行われる。
【０２０５】
［証明写真コースにおける調整処理］
次に、図２６のフローチャートを参照して、図１８のステップＳ４において行われる証明写真用画像の調整処理について説明する。
【０２０６】
ステップＳ４１において、画像処理管理部３０２の表示制御部３３２は、撮影処理によって得られた例えば４枚の撮影画像を撮影画像記憶部３２４から読み出して取得し、画像選択画面をタブレット内蔵モニタ１３１に表示させる。画像選択画面は、４枚の撮影画像の中から証明写真用画像とする１枚の撮影画像を選択するのに用いられる画面である。
【０２０７】
図２７は、画像選択画面の例を示す図である。
【０２０８】
画像選択画面の上方中央には、画像の選択を促す「プリントしたい画像を１枚選んでください。」のメッセージが表示され、その下に、４枚の撮影画像４５１−１乃至４５１−４が撮影順に並べて表示される。撮影画像４５１−１乃至４５１−４は、４回の撮影によって得られた、構図の異なる４種類の静止画である。
【０２０９】
利用者は、タッチペン１３２Ａまたはタッチペン１３２Ｂで触れることによって好みの撮影画像を選択する。図２７の例においては、撮影画像４５１−１乃至４５１−４のうちの撮影画像４５１−１が選択中とされており、撮影画像４５１−１の枠がカーソルＣによって強調表示されている。
【０２１０】
撮影画像４５１−１乃至４５１−４の下には、証明写真用画像として用いる撮影画像を決定するときに操作されるOKボタン４５２が表示される。
【０２１１】
図２８は、撮影画像の枚数が３枚である場合の画像選択画面の例を示す図である。
【０２１２】
撮影処理における撮影回数が３回である場合、利用者は、図２８の画像選択画面を用いて、３枚の撮影画像の中から、証明写真用画像とする１枚の撮影画像を選択することになる。
【０２１３】
このように、撮影回数は任意に設定可能である。また、証明写真用画像とする撮影画像の枚数も１枚に限られるものではなく、複数枚の撮影画像を証明写真用画像として選択することができるようにしてもよい。
【０２１４】
画像選択画面から１枚の撮影画像が選択され、OKボタン４５２が操作された場合、ステップＳ４２において、表示制御部３３２は、証明写真用画像についての各種の注意をまとめた画面である警告画面をタブレット内蔵モニタ１３１に表示させる。
【０２１５】
図２９は、警告画面の例を示す図である。
【０２１６】
図２９に示すように、警告画面には、証明写真用画像の用途、証明写真用画像の補正（調整）の内容、シール紙に印刷される証明写真用画像の種類、証明写真用画像の印刷に用いられる印刷媒体の種類、実際に印刷される色味などに関する注意書きが表示される。
【０２１７】
各種の注意書きの下には、警告画面の表示を終了するときに操作されるSKIPボタン４６１が表示される。
【０２１８】
SKIPボタン４６１が操作されたとき、または警告画面を表示してから所定の時間が経過したとき、ステップＳ４３において、ガイダンス出力制御部３３１は、表示制御部３２２を制御し、証明写真用画像の調整の仕方を説明する画面をタブレット内蔵モニタ１３１に表示させるなどして、調整前ガイダンスを出力する。
【０２１９】
図３０は、調整前ガイダンス画面の例を示す図である。
【０２２０】
調整前ガイダンス画面は、調整画面全体のうち、説明の対象となっている機能に関する部分だけをカラー表示とし、それ以外の部分をグレーアウト表示とさせた画面である。
【０２２１】
図３０の例においては、調整画像表示領域５１１とボタン領域５１２がカラー表示になっている。調整画像表示領域５１１は、調整対象となる証明写真用画像の表示領域であり、ボタン領域５１２は、人物の位置の調整に用いられるボタンが表示される領域である。調整前のガイダンス中であるから、調整画像表示領域５１１には、モデルの人物Ｈ１が写る静止画が表示される。
【０２２２】
また、図３０の例においては、ボタン領域５１２に表示されるボタンを用いて行う位置の調整機能の説明中であることが、ボタン領域５１２を指す矢印画像５０１により表されている。「１番  人物の位置を調整」などの音声が、図３０の表示に合わせてガイダンス出力制御部３３１によりスピーカ２３１から出力される。例えば、証明写真用画像の調整は、人物の位置の調整、人物の大きさの調整、背景の色の調整、写りの調整の順に行われる。これらの４種類の調整の全てが行われるのではなく、４種類の調整のうちの少なくともいずれかが行われるようにしてもよい。また、証明写真用画像に写る人物の傾きの調整などの他の調整が行われるようにしてもよい。
【０２２３】
調整前ガイダンス画面においては、矢印画像５０１が説明中の機能に合わせて移動するとともに、カラー表示の部分が、人物の大きさの調整に用いられるボタンが表示される領域、背景の色の調整に用いられるボタンが表示される領域、写りの調整に用いられるボタンが表示される領域の順に切り替わる。
【０２２４】
カラー表示の部分が切り替わることに応じて、「２番  人物の大きさを調整」、「３番  背景カラーを選択」、「４番  写りを調整」などの音声がスピーカ２３１から出力される。調整前ガイダンス画面の右上には、調整前ガイダンスを終了させるときに操作されるSKIPボタン５０２も表示される。
【０２２５】
SKIPボタン５０２が操作されたとき、または調整前ガイダンスが終わったとき、ステップＳ４４において、表示制御部３３２は、調整画面をタブレット内蔵モニタ１３１に表示させる。SKIPボタン５０２を用いずに、調整前ガイダンス画面上をタッチペン１３２Ａ、タッチペン１３２Ｂで押す操作が行われたときにも調整前ガイダンスは終了となる。
【０２２６】
図３１は、調整画面の例を示す図である。
【０２２７】
調整画面の略中央の調整画像表示領域５１１には、利用者（人物Ｈ２）が写る証明写真用画像が表示される。調整画像表示領域５１１に表示される証明写真用画像は、画像選択画面において４枚の撮影画像の中から選択された１枚の撮影画像である。調整画像表示領域５１１の証明写真用画像の表示には、調整画面の各種のボタンを用いて行われた調整の内容がリアルタイムで反映される。
【０２２８】
調整画像表示領域５１１の左側には、ボタン領域５１２、人物の大きさの調整に用いられるボタンが表示される領域であるボタン領域５１３、および、背景の色の調整に用いられるボタンが表示される領域であるボタン領域５１４が設けられる。
【０２２９】
一方、調整画像表示領域５１１の右側には、一発レタッチに用いられるボタンが表示される領域であるボタン領域５１５と、こだわりレタッチに用いられるボタンが表示される領域であるボタン領域５１６が設けられる。ボタン領域５１５とボタン領域５１６が、写りの調整に用いられるボタンが表示される領域である。
【０２３０】
図３２は、図３１のボタン領域５１２、ボタン領域５１３、およびボタン領域５１４を拡大して示す図である。
【０２３１】
ボタン領域５１２には、左ボタン５１２Ａ、右ボタン５１２Ｂ、上ボタン５１２Ｃ、および下ボタン５１２Ｄが表示される。左ボタン５１２Ａは、人物の位置を左方向に移動させるときに操作されるボタンであり、右ボタン５１２Ｂは、人物の位置を右方向に移動させるときに操作されるボタンである。また、上ボタン５１２Ｃは、人物の位置を上方向に移動させるときに操作されるボタンであり、下ボタン５１２Ｄは、人物の位置を下方向に移動させるときに操作されるボタンである。ボタン領域５１２に表示されているボタンを押すごとに、人物の位置が所定の量だけ移動する。
【０２３２】
ボタン領域５１３には、マイナスボタン５１３Ａとプラスボタン５１３Ｂが表示される。マイナスボタン５１３Ａは、人物の大きさを小さくするときに操作されるボタンであり、プラスボタン５１３Ｂは、人物の大きさを大きくするときに操作されるボタンである。ボタン領域５１３に表示されているボタンを押すごとに、人物の大きさが所定の量だけ変化する。
【０２３３】
ボタン領域５１２に表示されるボタンとボタン領域５１３に表示されるボタンを用いた調整が、人物の位置と大きさの二段階目の調整となる。
【０２３４】
図３３は、人物の位置と大きさの二段階目の調整時の調整画面の表示例を示す図である。
【０２３５】
人物の位置と大きさの調整時、ライブビュー表示時と同様に、調整画像表示領域５１１には、証明写真用画像に重ねて、水平線５１１Ａ、５１１Ｂ、および垂直線５１１Ｃからなるガイドラインが表示される。水平線５１１Ａは、頭の一番上の位置の目安となる高さを表し、水平線５１１Ｂは、あごの位置の目安となる高さを表す。また、垂直線５１１Ｃは、顔の中心の水平方向の目安となる位置を表す。
【０２３６】
例えば、人物の位置の調整時、「人物の位置を調整します。ガイドラインの位置に合わせて調整してください。」などの音声がガイダンス出力制御部３３１によりスピーカ２３１から出力される。また、人物の大きさの調整時、「人物の大きさを調整します。ガイドラインの大きさに合わせて調整してください。」などの音声がガイダンス出力制御部３３１によりスピーカ２３１から出力される。
【０２３７】
利用者は、ボタン領域５１２とボタン領域５１３に表示されているボタンを操作して、垂直線５１１Ｃが中心を通るように顔の位置を合わせるとともに、水平線５１１Ａに頭の一番上の位置を合わせ、水平線５１１Ｂにあごの一番下の位置を合わせることになる。
【０２３８】
このように、撮影時には粗い調整のみを行い、その後、証明写真用画像の調整時にタッチペン１３２Ａ、１３２Ｂを用いて細かい調整を行うようにすることにより、証明写真用画像における人物の位置と大きさを正確に調整することが可能になる。
【０２３９】
撮影時の一段階目の調整と同様に、顔の位置と大きさの目安を表す画像は直線画像に限られるものではない。また、人物の、顔以外の部分の位置と大きさを表す画像が表示されるようにしてもよい。さらに、顔の位置と大きさのうちのいずれかの目安となる画像が表示されるようにしてもよい。
【０２４０】
撮影時の一段階目の調整時は粗い調整であるから、顔の位置と大きさのうちのいずれかの目安となる画像のみが表示され、細かい調整である二段階目の調整時に、顔の位置と大きさの両方の目安となる画像が表示されるようにすることも可能である。
【０２４１】
ライブビュー表示時には、利用者はライブビューを見て身だしなみの確認なども行う必要がある。ライブビューに重ねて表示する情報を減らすことにより、利用者が自分の様子をより確認しやすくなる。
【０２４２】
図３４Ａ，Ｂは、人物の位置と大きさの調整時の画像処理の例を示す図である。
【０２４３】
図３４Ａ，Ｂの画像Ｐ４１は、証明写真用画像の全体の画像であり、枠Ｆ１で示す範囲が、調整画像表示領域５１１に表示される範囲である。撮影においては、タブレット内蔵モニタ１３１に表示される範囲より広い範囲のデータが取得されており、取得された画像上で、枠Ｆ１に収める範囲を変えるようにして人物の位置と大きさの調整が行われる。
【０２４４】
例えば、調整部３３４は、ボタン領域５１２の左ボタン５１２Ａが操作される毎に、図３４Ａの白抜き矢印＃１１に示すように枠Ｆ１の範囲を所定の量だけ右方向に移動させ、これにより、枠Ｆ１内における人物の位置を左方向に移動させる。また、調整部３３４は、右ボタン５１２Ｂが操作される毎に、白抜き矢印＃１２に示すように枠Ｆ１の範囲を所定の量だけ左方向に移動させ、枠Ｆ１内における人物の位置を右方向に移動させる。
【０２４５】
調整部３３４は、ボタン領域５１２の上ボタン５１２Ｃ、下ボタン５１２Ｄが操作されたときも同様に、それぞれ、白抜き矢印＃１３，＃１４に示すように枠Ｆ１の範囲を所定の量だけ下方向または上方向に移動させ、枠Ｆ１内における人物の位置を移動させる。
【０２４６】
また、調整部３３４は、ボタン領域５１３のマイナスボタン５１３Ａが操作される毎に、図３４Ｂの外向きの白抜き矢印＃２１に示すように枠Ｆ１に収める範囲を所定の量だけ広くし、枠Ｆ１内における人物の位置を小さくする。また、調整部３３４は、プラスボタン５１３Ｂが操作される毎に、内向きの白抜き矢印＃２２で示すように枠Ｆ１に収める範囲を所定の量だけ狭くさせ、枠Ｆ１内における人物の位置を大きくする。
【０２４７】
調整が終わったとき、枠Ｆ１内の範囲がトリミングにより画像Ｐ４１から切り出され、証明写真用画像として用いられる。
【０２４８】
なお、人物の位置を調整する際、例えば人物の位置を下にずらしすぎたときには、図３４Ａの枠Ｆ１の上辺の位置が撮影画像Ｐ４１の上辺の位置より上の位置となり、枠Ｆ１に、撮影画像Ｐ４１の領域外の範囲が含まれることがある（撮影画像のデータとして、人物の上方の領域のデータがないことがある）。その場合、調整画像表示領域５１１に表示される人物の上方に余白が生じないようにするために、撮影画像Ｐ４１の上の、枠Ｆ１に含まれる範囲に背景領域（透明な背景領域）を加える処理が行われる。
【０２４９】
人物の大きさを調整する際において人物を小さくしすぎたときも同様に、図３４Ｂの枠Ｆ１１が撮影画像Ｐ４１より大きくなり、枠Ｆ１１に、撮影画像Ｐ４１の領域外の範囲が含まれることがある（撮影画像のデータとして、人物の周りの領域のデータがないことがある）。その場合、調整画像表示領域５１１に表示される人物の周りに余白が生じないようにするために、枠Ｆ１に含まれる撮影画像Ｐ４１の領域外の範囲に背景領域（透明な背景領域）を加える処理が行われる。
【０２５０】
図３２の説明に戻り、ボタン領域５１４には、背景画像の色の選択に用いられる背景カラー選択ボタン５１４Ａ乃至５１４Ｆが表示される。背景カラー選択ボタン５１４Ａ乃至５１４Ｆはそれぞれ異なる色のボタンである。図１１を参照して説明したように、証明写真用画像は、撮影画像の被写体を背景画像に合成することによって構成される。
【０２５１】
調整部３３４は、背景カラー選択ボタン５１４Ａ乃至５１４Ｆが操作されることに応じて、撮影画像の被写体に合成する背景画像を変え、色の調整を行う。例えば、背景の調整時、「背景を選択します。ご提出先の規定に背景の色指定がある場合、規定に沿ってお選びください。」などの音声がスピーカ２３１から出力される。
【０２５２】
図３５は、図３１のボタン領域５１５とボタン領域５１６を拡大して示す図である。
【０２５３】
ボタン領域５１５には、一発レタッチの機能を利用して写りの調整を行うときに操作されるモード選択ボタン５１５Ａ乃至５１５Ｃが表示される。一発レタッチの機能は、証明写真用画像に写る利用者の肌の明るさ、肌質、目の印象、および髪色のそれぞれの写りを、１回の操作で一括して調整する機能である。
【０２５４】
例えば、肌の明るさには、「健康的」、「おすすめ（ナチュラル）」、「明るめ」の名前が設定された３種類の明るさが用意され、肌質には、「マット」、「おすすめ（ナチュラル）」、「ふんわり」の名前が設定された３種類の肌質が用意される。目の印象には、「優しい」、「おすすめ（ナチュラル）」、「はっきり」の名前が設定された３種類の印象が用意され、髪色には、「暗め」、「おすすめ（ナチュラル）」、「明るめ」の名前が設定された３種類の髪色が用意される。
【０２５５】
モード選択ボタン５１５Ａ乃至５１５Ｃは、それぞれ、「清潔感」、「健康的」、「華やか」の名前が設定されたモードで写りを一括して調整するときに操作されるボタンである。
【０２５６】
図３６は、一発レタッチの各モードを選択したときに用いられる写りの組み合わせの例を示す図である。
【０２５７】
「清潔感」のモードは、肌の明るさを「おすすめ（ナチュラル）」、肌質を「おすすめ（ナチュラル）」、目の印象を「優しい」、髪色を「暗め」として設定するモードである。「健康的」のモードは、肌の明るさを「健康的」、肌質を「マット」、目の印象を「おすすめ（ナチュラル）」、髪色を「おすすめ（ナチュラル）」として設定するモードである。「華やか」のモードは、肌の明るさを「明るめ」、肌質を「ふんわり」、目の印象を「はっきり」、髪色を「明るめ」として設定するモードである。当然、各モードと写りの組み合わせは図３６に示すものに限られるものではなく、他の組み合わせであってもよい。
【０２５８】
ボタン領域５１６には、一発レタッチの機能を利用しないで、肌の明るさ、肌質、目の印象、および髪色をそれぞれ個別に調整する機能であるこだわりレタッチに操作されるボタンが表示される。ボタン領域５１６には領域５３１乃至５３４が設けられる。
【０２５９】
領域５３１には、「健康的」、「おすすめ（ナチュラル）」、「明るめ」の３種類の中から好みの肌の明るさを選択するときに操作される写り選択ボタン５３１Ａ乃至５３１Ｃが表示される。「健康的」、「おすすめ（ナチュラル）」、「明るめ」のそれぞれの明るさには、色相、彩度、明度などの肌の色に関する各パラメータが対応付けられている。
【０２６０】
写り選択ボタン５３１Ａ乃至５３１Ｃの中からいずれかのボタンが操作された場合、調整部３３４は、被写体の肌の領域を検出し、選択された種類の明るさに応じたパラメータを設定することによって肌の明るさを調整する。
【０２６１】
領域５３２には、「マット」、「おすすめ（ナチュラル）」、「ふんわり」の３種類の中から好みの肌質を選択するときに操作される写り選択ボタン５３２Ａ乃至５３２Ｃが表示される。「マット」、「おすすめ（ナチュラル）」、「ふんわり」のそれぞれの肌質には、色相、彩度、明度などの色に関する各パラメータや、シャープネスなどのパラメータが対応付けられている。
【０２６２】
写り選択ボタン５３２Ａ乃至５３２Ｃの中からいずれかのボタンが操作された場合、調整部３３４は、被写体の肌の領域を検出し、選択された種類の肌質に応じたパラメータを設定することによって肌質を調整する。
【０２６３】
領域５３３には、「優しい」、「おすすめ（ナチュラル）」、「はっきり」の３種類の中から好みの目の印象を選択するときに操作される写り選択ボタン５３３Ａ乃至５３３Ｃが表示される。「優しい」、「おすすめ（ナチュラル）」、「はっきり」のそれぞれの目の印象には、シャープネスなどのパラメータが対応付けられている。
【０２６４】
写り選択ボタン５３３Ａ乃至５３３Ｃの中からいずれかのボタンが操作された場合、調整部３３４は、被写体の目を検出し、選択された種類の印象に応じたパラメータを設定することによって目の印象を調整する。
【０２６５】
領域５３４には、「暗め」、「おすすめ（ナチュラル）」、「明るめ」の３種類の中から好みの髪色を選択するときに操作される写り選択ボタン５３４Ａ乃至５３４Ｃが表示される。「暗め」、「おすすめ（ナチュラル）」、「明るめ」のそれぞれの髪色には、色相、彩度、明度などの髪の色に関する各パラメータが対応付けられている。
【０２６６】
写り選択ボタン５３４Ａ乃至５３４Ｃの中からいずれかのボタンが操作された場合、調整部３３４は、被写体の髪領域を検出し、選択された種類の色に応じたパラメータを設定することによって髪色を調整する。
【０２６７】
図３１の調整画像表示領域５１１の上には、調整中ボタン５４１と調整前ボタン５４２が表示される。調整中ボタン５４１は、調整中の証明写真用画像を調整画像表示領域５１１に表示させるときに操作されるボタンであり、調整前ボタン５４２は、調整前の証明写真用画像を調整画像表示領域５１１に表示させるときに操作されるボタンである。調整中ボタン５４１と調整前ボタン５４２のうちのいずれかが操作可能とされる。
【０２６８】
調整部３３４においては、調整前の証明写真用画像と調整中の証明写真用画像の２種類の証明写真用画像のデータが管理される。調整中ボタン５４１と調整前ボタン５４２に対する操作が行われることに応じて、調整部３３４により管理されるデータに基づいて調整画像表示領域５１１の表示が切り替えられる。
【０２６９】
利用者は、調整中ボタン５４１と調整前ボタン５４２を交互に操作することによって、各ボタンを用いて調整した調整後の証明写真用画像と、調整前、すなわち無調整の証明写真用画像を見比べることができる。
【０２７０】
調整画面においては、人物の位置、人物の大きさ、背景の色、および写りの４種類の調整が行われるが、調整前ボタン５４２を操作したときに調整前の証明写真用画像として表示される画像を、人物の位置や大きさの調整すらも行っていない無調整の証明写真用画像としてもよいし、人物の位置、人物の大きさ、および背景の色のうちの少なくともいずれかの調整については調整済みの証明写真用画像としてもよい。
【０２７１】
例えば、調整前の証明写真用画像として、人物の位置、人物の大きさ、および背景の色の調整済みの画像が表示されるようにすることにより、利用者は、調整中の証明写真用画像と、写りの調整前の証明写真用画像とを比較することができ、単に、写りが気に入っているか否かを判断することが可能になる。
【０２７２】
調整画像表示領域５１１の下には、各調整機能の説明を表示するときに操作される説明ボタン５４３、調整を最初からやり直すときに操作されるやり直しボタン５４４、および証明写真用画像の調整を終えるときに操作される終了ボタン５４５が表示される。
【０２７３】
調整画面の表示中、調整中ボタン５４１と調整前ボタン５４２を用いて行うことのできる内容を説明する「調整中・調整前ボタンを切り替えることで元の画像と見比べることができます。」などの音声や、説明ボタン５４３を用いて行うことのできる内容を説明する「困ったときは説明ボタンを押してください。」などの音声が所定のタイミングで出力される。また、やり直しボタン５４４を用いて行うことのできる内容を説明する「最初からやり直したい場合は、最初からやり直すボタンを押してください。」などの音声や、終了ボタン５４５を用いて行うことのできる内容を説明する「調整を終わらせたい場合は、調整終了ボタンを押してください。」などの音声が所定のタイミングで出力される。
【０２７４】
図３７は、説明ボタン５４３が操作されたときに表示される調整画面の例を示す図である。
【０２７５】
説明ボタン５４３が操作されたとき、調整画面上の各位置には、それぞれの調整内容の説明が表示される。例えば、一発レタッチの機能を用いるときに操作されるモード選択ボタン５１５Ａ乃至５１５Ｃの領域には、各モードを選択したときの写りのイメージの説明が表示される。
【０２７６】
調整画像表示領域５１１に重ねて表示される終了ボタン５５１が操作されたとき、調整画面の表示は図３１の表示に戻る。
【０２７７】
図３８は、やり直しボタン５４４が操作されたときに表示される調整画面の例を示す図である。
【０２７８】
やり直しボタン５４４が操作されたとき、調整画面にはウインドウ５６１が表示される。ウインドウ５６１の略中央には「今までの設定がすべて消えますがよろしいですか？」のメッセージが表示され、その下に、設定を消さないで調整を続けるときに操作されるNOボタンであるボタン５６１Ａと、設定を消して調整をやり直すときに操作されるYESボタンであるボタン５６１Ｂが表示される。
【０２７９】
NOボタンであるボタン５６１Ａが操作されたとき、ウインドウ５６１が消え、調整画面の表示は、調整中の証明写真用画像を含む状態に戻る。一方、YESボタンであるボタン５６１Ｂが操作されたとき、ウインドウ５６１が消え、調整画面の表示は、調整前の証明写真用画像を含む状態に戻る。
【０２８０】
図３９は、終了ボタン５４５が操作されたときに表示される調整画面の例を示す図である。
【０２８１】
終了ボタン５４５が操作されたとき、調整画面上にはウインドウ５６１が表示される。ウインドウ５６１の上方には「これで調整を終了しますがよろしいですか？」のメッセージが表示され、その下に、調整後の証明写真用画像をシール紙上に配置したときのイメージを表す印刷イメージ５８１が表示される。
【０２８２】
印刷イメージ５８１の下には、調整画面に戻り、調整を続けるときに操作される戻るボタン５８２Ａと、調整を終了するときに操作される終了ボタン５８２Ｂが表示される。
【０２８３】
戻るボタン５８２Ａが操作されたとき、ウインドウ５６１が消え、調整画面の表示は、調整中の証明写真用画像を含む状態に戻る。
【０２８４】
図２６の説明に戻り、ステップＳ４５において、調整部３３４は、調整画面のボタン領域５１２に表示されているボタンに対する利用者の操作に応じて、証明写真用画像における被写体の位置を調整する。被写体の位置の調整は図３４Ａを参照して説明したようにして行われる。
【０２８５】
ステップＳ４６において、調整部３３４は、ボタン領域５１３に表示されているボタンに対する利用者の操作に応じて、証明写真用画像における被写体の大きさを調整する。被写体の大きさの調整は図３４Ｂを参照して説明したようにして行われる。
【０２８６】
ステップＳ４７において、調整部３３４は、ボタン領域５１４に表示されているボタンに対する利用者の操作に応じて、証明写真用画像における被写体の背景の色を調整する。
【０２８７】
ステップＳ４８において、調整部３３４は、ボタン領域５１５とボタン領域５１６に表示されているボタンに対する利用者の操作に応じて、証明写真用画像における被写体の写りを調整する。
【０２８８】
すなわち、調整部３３４は、ボタン領域５１５に表示されているボタンが操作されたとき、利用者の肌の明るさ、肌質、目の印象、および髪色のそれぞれの写りに関するパラメータを一括して調整する。また、調整部３３４は、ボタン領域５１６に表示されているボタンが操作されたとき、利用者の肌の明るさ、肌質、目の印象、および髪色に関するパラメータを、それぞれ調整する。
【０２８９】
ボタン領域５１２乃至５１６のボタンが操作される毎に証明写真用画像の調整が行われ、調整後の証明写真用画像のデータが調整部３３４から表示制御部３３２に供給される。調整部３３４から供給されたデータに基づいて、調整画像表示領域５１１には、調整後の証明写真用画像が表示される。
【０２９０】
ステップＳ４９において、調整部３３４は、調整終了か否かを判定し、調整終了ではないと判定した場合、ステップＳ４５に戻り、以上の処理を繰り返す。ステップＳ４５乃至Ｓ４８の各処理については、必要な処理だけが、任意の順序で行われるようにしてもよい。
【０２９１】
一方、終了ボタン５４５が操作され、続けて調整画面上に表示される終了ボタン５８２Ｂ（図３９）が操作されたことから、調整終了であると判定された場合、ステップＳ５０において、表示制御部３３２は、携帯送信の機能を利用するか否かの確認画面をタブレット内蔵モニタ１３１に表示させる。
【０２９２】
調整終了であると判定された場合、調整後の証明写真用画像が画像記憶部３３５に供給され、記憶される。なお、あらかじめ設定された制限時間が経過した場合も調整終了であると判定され、確認画面がタブレット内蔵モニタ１３１に表示される。証明写真用画像の調整にも制限時間が設定されている。事後接客空間Ａ３の空き状況や印刷の状況に応じて、適宜、制限時間が延長されるようにしてもよい。
【０２９３】
図４０は、確認画面の例を示す図である。
【０２９４】
確認画面の上方には、「証明写真用画像を携帯送信する？」のメッセージが表示され、その下に、携帯送信の機能を利用するときに操作されるYESボタンであるボタン５９１Ａと、携帯送信の機能を利用しないときに操作されるNOボタンであるボタン５９１Ｂが表示される。
【０２９５】
確認画面に対する利用者の選択内容を表す情報は、事後接客管理部３０４（図１３）に供給され、記憶される。
【０２９６】
ステップＳ５１において、表示制御部３３２は、通常コースの紹介画面をタブレット内蔵モニタ１３１に表示させる。通常コースの紹介画面には、例えば撮影画像の編集の内容を表す画像が表示される。紹介画面の表示に合わせて、「通常コースの落書き紹介です。ぜひ次は撮ってみてください！」などの音声がスピーカ２３１から出力される。
【０２９７】
ステップＳ５２において、表示制御部３３２は、証明写真用画像の調整を終えた利用者に対して事後接客空間Ａ３への移動を案内する。事後接客空間Ａ３への移動の案内は、タブレット内蔵モニタ１３１に画面を表示させることによって、またはスピーカ２３１から音声を出力させることによって行われる。その後、図１８のステップＳ４に戻り、それ以降の処理が行われる。
【０２９８】
［証明写真コースにおける印刷処理］
次に、図４１のフローチャートを参照して、図１８のステップＳ５において行われる証明写真用画像の印刷処理について説明する。
【０２９９】
ステップＳ６１において、印刷管理部３０３の印刷データ生成部３４１（図１６）は、画像記憶部３３５に記憶されている調整後の証明写真用画像を読み出して取得する。
【０３００】
ステップＳ６２において、印刷データ生成部３４１は、調整後の証明写真用画像を所定のレイアウトに配置することによって印刷データを生成し、プリンタ制御部３４２に出力する。
【０３０１】
証明写真用画像のレイアウトは、あらかじめ決まっているようにしてもよいし、履歴書用、願書用、パスポート用などの、証明写真用画像の用途が選択されることに応じて自動的に選択されるようにしてもよい。また、利用者がサイズを指定することに応じて選択されるようにしてもよいし、あらかじめ用意されている複数のレイアウトの中から利用者が選択することができるようにしてもよい。
【０３０２】
ステップＳ６３において、プリンタ制御部３４２は、プリンタ２４１を制御し、印刷データ生成部３４１により生成された印刷データに基づいて、証明写真用画像をシール紙に印刷させる。
【０３０３】
これにより、図１０を参照して説明したようなシール紙が生成され、シール紙排出口１６３に排出される。その後、図１８のステップＳ５に戻り、それ以降の処理が行われる。
【０３０４】
［証明写真コースにおける事後接客処理］
次に、図４２のフローチャートを参照して、図１８のステップＳ６において行われる事後接客処理について説明する。図４２の事後接客処理は、図４０の選択画面において携帯送信の機能を利用することが選択された場合に行われる。
【０３０５】
ステップＳ７１において、事後接客管理部３０４の表示制御部３５１は、メールアドレスの入力画面をタブレット内蔵モニタ１６１に表示させる。この入力画面を用いて、利用者が持つ携帯電話機などの携帯端末のメールアドレスが入力される。
【０３０６】
写真シール作成装置１において生成された証明写真用画像は、写真シール作成装置１からサーバに送信され、所定の記憶領域が割り当てられて保存される。サーバは、例えば写真シール作成装置１のメーカーが管理するサーバである。利用者により入力されたメールアドレスは、その記憶領域を表すURLを利用者に通知するために用いられる。サーバから利用者の携帯端末に対して送信される電子メールには証明写真用画像の記憶領域を表すURLが含まれており、そのURLへのアクセスを指示することによって、利用者は携帯端末の画面上に証明写真用画像を表示させることができる。
【０３０７】
携帯送信機能は、このような仕組みによって、携帯端末の画面上で証明写真用画像を閲覧することができるようにするための機能である。
【０３０８】
例えば、写真シール作成装置１のメーカーが開設するWebページなどから有料会員に登録することにより、証明写真用画像のデータを携帯端末にダウンロードすることができるようになされている。携帯端末にダウンロードされた証明写真用画像のデータは、電子履歴書の作成や証明写真用画像の焼き増しに用いることが可能とされる。
【０３０９】
図４３は、メールアドレスの入力画面の例を示す図である。
【０３１０】
入力画面の上方には、「携帯のアドレスを入力してね」のメッセージが表示され、その下に、入力されたメールアドレスが表示される表示欄６０１が設けられる。表示欄６０１の下にはアルファベットや数字などの入力に用いられる入力ボタン６０２が表示される。利用者は、入力ボタン６０２を操作して、自身の携帯端末のメールアドレスを入力する。
【０３１１】
入力ボタン６０２の下には、メールアドレスの入力を終了するときに操作されるOKボタン６０３が表示される。また、入力ボタン６０２の右側には、証明写真用画像のサムネイル画像６０４が表示される。サムネイル画像６０４は、画像記憶部３３５から読み出されたデータに基づいて表示される。
【０３１２】
このような入力画面に対してメールアドレスが入力され、OKボタン６０３が操作されたとき、ステップＳ７２において、通信制御部３５２は、画像記憶部３３５から読み出した調整後の証明写真用画像のデータとメールアドレスをサーバに送信する。
【０３１３】
表示制御部３５１は、図４４に示すような紹介画面をタブレット内蔵モニタ１６１に表示させ、処理を終了させる。その後、図１８のステップＳ６に戻り、証明写真コースの一連の処理が終了される。
【０３１４】
図４４は、紹介画面の例を示す図である。
【０３１５】
図４４の紹介画面は、メールアドレスを入力しないでも、証明写真用画像を携帯端末の画面上で閲覧できることを紹介する画面である。紹介画面の上方には、「アドレス入力できなくても画像がもらえるよ！」のメッセージが表示され、その下に、シール紙に印刷されているメールアドレスにいわゆる空メール（本文が空欄のメール）を送り、その時に返信されてくる電子メールに含まれるURLにアクセスしたときに表示されるWebページの入力欄にシール紙に印刷されているIDを入力することによっても、携帯端末を使って証明写真用画像を閲覧することができることの説明が表示されている。
【０３１６】
以上のように、利用者は、証明写真コースを選択することによって、履歴書などに貼り付けるのに用いる証明写真用画像が印刷されたシール紙を得ることができる。
【０３１７】
［通常コースにおける撮影処理］
次に、図４５のフローチャートを参照して、図１８のステップＳ７において行われる通常コースにおける撮影処理について説明する。
【０３１８】
ステップＳ１０１において、撮影管理部３０１のガイダンス出力制御部３２１は、表示制御部３２２を制御し、撮影の仕方を説明する画面をタッチパネルモニタ９２に表示させるなどして撮影前ガイダンスを出力する。利用者は、タッチパネルモニタ９２に表示される画面を見て、撮影の仕方などを確認することになる。
【０３１９】
撮影前ガイダンスが終了したとき、ステップＳ１０２において、表示制御部３２２は、ライブビューの表示を開始する。カメラ９１による動画の撮影が開始され、撮影によって得られた、利用者が映る動画がカメラ制御部３２３から表示制御部３２２に供給される。
【０３２０】
図４６は、ライブビュー表示画面の例を示す図である。
【０３２１】
ライブビュー表示画面の中央上方には「撮影するよ！」のメッセージが表示され、その下に設けられた矩形の領域であるライブビュー表示領域７０１には、撮影空間Ａ１にいる利用者を撮影して得られた動画が表示される。図４６の例においては、図１９のコース選択画面において２人用の通常コースを選択した２人の利用者が撮影を行っているものとされている。
【０３２２】
ライブビュー表示領域７０１の左には、ライブビュー表示領域７０１の上辺に沿うように頭の位置を調整することを案内するメッセージが表示される。ライブビュー表示領域７０１の下には、ライブビュー表示領域７０１より小さい矩形の領域である撮影結果表示領域７０２−１乃至７０２−６が２行３列に並べて配置される。
【０３２３】
通常コースの静止画の撮影は例えば６回行われる。撮影結果表示領域７０２−１乃至７０２−６には、それぞれ、撮影が行われる毎に、撮影によって得られた撮影画像が撮影順に表示される。図４６の例においてはまだ撮影が行われていないことから、撮影結果表示領域７０２−１乃至７０２−６には画像が表示されていない。
【０３２４】
利用者は、このようなライブビュー表示画面を見て、自分の顔の位置を調整して撮影を行いながら、撮影結果を確認することができる。ライブビュー表示画面の表示は６回の撮影が終了するまで続けられる。
【０３２５】
ライブビュー表示画面がタッチパネルモニタ９２に表示された状態で撮影のタイミングになったとき、ステップＳ１０３において、カメラ制御部３２３は１回目の静止画の撮影を行う。カメラ制御部３２３は、撮影によって得られた静止画である撮影画像を表示制御部３２２に出力するとともに、撮影画像記憶部３２４に出力し、記憶させる。
【０３２６】
表示制御部３２２に出力された撮影画像は、ライブビュー表示画面の撮影結果表示領域７０２−１に縮小して表示される。利用者は、１回目の撮影結果を確認しながら、次の撮影の準備を行うことができる。
【０３２７】
その後、２回目以降の撮影が行われる。すなわち、２回目の撮影タイミングになったとき、ステップＳ１０４において、カメラ制御部３２３は、２回目の静止画の撮影を行う。カメラ制御部３２３は、撮影によって得られた撮影画像を表示制御部３２２に出力してライブビュー表示画面の撮影結果表示領域７０２−２に表示させるとともに、撮影画像記憶部３２４に出力し、記憶させる。
【０３２８】
ステップＳ１０５乃至Ｓ１０８において、カメラ制御部３２３は、それぞれ、３〜６回目の静止画の撮影を行う。カメラ制御部３２３は、撮影によって得られた撮影画像を表示制御部３２２に出力してライブビュー表示画面に表示させるとともに、撮影画像記憶部３２４に出力し、記憶させる。
【０３２９】
ステップＳ１０９において、表示制御部３２２は、落書きの紹介画面をタッチパネルモニタ９２に表示する。
【０３３０】
ステップＳ１１０において、表示制御部３２２は、撮影を終えた利用者に対して、画像処理空間Ａ２−１または画像処理空間Ａ２−２への移動を案内する。画像処理空間Ａ２−１または画像処理空間Ａ２−２への移動の案内は、タッチパネルモニタ９２に画面を表示させることによって、または、スピーカ２２４から音声を出力することによっても行われる。
【０３３１】
利用者は、撮影空間Ａ１から出て、案内された方の画像処理空間に移動して撮影画像の編集を行うことになる。その後、図１８のステップＳ７に戻り、それ以降の処理が行われる。
【０３３２】
［通常コースにおける編集処理］
次に、図４７のフローチャートを参照して、図１８のステップＳ８において行われる撮影画像の編集処理について説明する。
【０３３３】
ステップＳ１２１において、画像処理管理部３０２の表示制御部３３２は、名前入力画面をタブレット内蔵モニタ１３１に表示させる。名前入力画面に入力された利用者の名前に応じて、編集画面に用意される編集ツールの内容が変化する。例えば、利用者の名前を表すスタンプ画像などが編集ツールとして用意される。
【０３３４】
ステップＳ１２２において、表示制御部３３２は、撮影処理によって得られた例えば６枚の撮影画像を撮影画像記憶部３２４から読み出して取得し、目＆顔サイズ調整画面をタブレット内蔵モニタ１３１に表示させる。目＆顔サイズ調整画面は、撮影画像に写る利用者の目と顔の大きさの調整に用いられる画面である。
【０３３５】
図４８は、目＆顔サイズ調整画面の例を示す図である。
【０３３６】
目＆顔サイズ調整画面の中央上方には「１人ずつ目の大きさと顔の大きさを選んでね」のメッセージが表示され、その下に、顔画像表示領域７２１Ｌと顔画像表示領域７２１Ｒが離れて設けられる。顔画像表示領域７２１Ｌは、２人の利用者が写る撮影画像からトリミングによって切り出された、左側に写る人物の顔が拡大して表示される領域であり、顔画像表示領域７２１Ｒは、右側に写る人物の顔が拡大して表示される領域である。例えば、１枚目の撮影画像から切り出された人物の顔の領域が顔画像表示領域７２１Ｌと顔画像表示領域７２１Ｒに表示される。
【０３３７】
顔画像表示領域７２１Ｌの下にはボタン領域７２２Ｌが設けられ、顔画像表示領域７２１Ｒの下にはボタン領域７２２Ｒが設けられる。タブレット内蔵モニタ１３１に向かって左側に立つ利用者は、タブレット内蔵モニタ１３１の左側に用意されたタッチペン１３２Ａを使ってボタン領域７２２Ｌに表示されるボタンを操作し、ボタン領域７２２Ｌに表示された自分の画像の目と顔の大きさを調整することになる。一方、タブレット内蔵モニタ１３１に向かって右側に立つ利用者は、タブレット内蔵モニタ１３１の右側に用意されたタッチペン１３２Ｂを使ってボタン領域７２２Ｒに表示されるボタンを操作し、ボタン領域７２２Ｒに表示された自分の画像の目と顔の大きさを調整することになる。
【０３３８】
ボタン領域７２２Ｌの上段には、目の大きさの調整に用いられるボタンである目サイズ選択ボタン７３１−１Ｌ乃至７３１−３Ｌが表示される。目サイズ選択ボタン７３１−１Ｌ乃至７３１−３Ｌには、それぞれ、撮影画像からトリミングによって切り出された、大きさの異なる目の画像が表示される。
【０３３９】
目サイズ選択ボタン７３１−１Ｌは、目の大きさとして、撮影画像に写るそのままの大きさを選択するときに操作されるボタンであり、目サイズ選択ボタン７３１−２Ｌは、若干大きいサイズを選択するときに操作されるボタンである。目サイズ選択ボタン７３１−３Ｌは、大きいサイズを選択するときに操作されるボタンである。
【０３４０】
ボタン領域７２２Ｌの下段には、顔の大きさの調整に用いられるボタンである顔サイズ選択ボタン７３２−１Ｌ乃至７３２−３Ｌが表示される。顔サイズ選択ボタン７３２−１Ｌ乃至７３２−３Ｌには、それぞれ、撮影画像からトリミングによって切り出した、大きさの異なる顔の画像が表示される。
【０３４１】
顔サイズ選択ボタン７３２−１Ｌは、顔の大きさとして、撮影画像に写るそのままの大きさを選択するときに操作されるボタンであり、顔サイズ選択ボタン７３２−２Ｌは、若干小さいサイズを選択するときに操作されるボタンである。顔サイズ選択ボタン７３２−３Ｌは、小さいサイズを選択するときに操作されるボタンである。
【０３４２】
ボタン領域７２２Ｌの右下には、目と顔の大きさの調整を終えるときに操作されるOKボタン７３３Ｌが表示される。
【０３４３】
ボタン領域７２２Ｌに表示されるボタンと同じボタンがボタン領域７２２Ｒにも表示される。ボタン領域７２２Ｒの上段には、目の大きさの調整に用いられるボタンである目サイズ選択ボタン７３１−１Ｒ乃至７３１−３Ｒが表示され、下段には、顔の大きさの調整に用いられるボタンである顔サイズ選択ボタン７３２−１Ｒ乃至７３２−３Ｒが表示される。ボタン領域７２２Ｒの右下には、目と顔の大きさの調整を終えるときに操作されるOKボタン７３３Ｒが表示される。
【０３４４】
目サイズ選択ボタン７３１−１Ｌ乃至７３１−３Ｌのうちのいずれかのボタンが操作された場合、ステップＳ１２３において、調整部３３４は、それぞれの撮影画像から、顔画像表示領域７２１Ｌに表示されている人物と同じ人物の目の領域を検出し、検出した領域に含まれる目の大きさを、選択された大きさに応じて調整する。
【０３４５】
また、調整部３３４は、顔サイズ選択ボタン７３２−１Ｌ乃至７３２−３Ｌのうちのいずれかのボタンが操作された場合、それぞれの撮影画像から、顔画像表示領域７２１Ｌに表示されている人物と同じ人物の顔の領域を検出し、検出した領域に含まれる顔の大きさを、選択された大きさに応じて調整する。
【０３４６】
目サイズ選択ボタン７３１−１Ｒ乃至７３１−３Ｒが操作された場合、または顔サイズ選択ボタン７３２−１Ｒ乃至７３２−３Ｒが操作された場合も同様に、調整部３３４は、それぞれの撮影画像に写る、顔画像表示領域７２１Ｒに表示されている人物と同じ人物の目と顔の大きさを調整する。OKボタン７３３ＬとOKボタン７３３Ｒが操作された場合、目と顔の大きさの調整が終了される。
【０３４７】
このように、証明写真用画像の調整時には行われない顔の大きさの調整が、撮影画像の編集時には可能とされる。証明写真用画像に写る利用者の顔の大きさを本人が好みに応じて調整することができるとした場合、証明写真用画像の信ぴょう性が損なわれることから好ましくない。撮影画像の編集時には調整できるが証明写真用画像の調整時には調整できないような内容を設定することにより、証明写真用画像の信ぴょう性が損なわれるのを防ぐことができる。
【０３４８】
撮影画像の編集時には化粧風の画像処理を撮影画像に施したり顔の形を細くしたりすることができるが、それらの調整を証明写真用画像の調整時には行うことができなくするといったように、他の処理の内容について、撮影画像の編集時と証明写真用画像の調整時とで差を設定することも可能である。
【０３４９】
ステップＳ１２４において、表示制御部３２２は、撮影画像に写る利用者の肌の明るさの調整に用いられる画面である明るさ調整画面をタブレット内蔵モニタ１３１に表示させる。
【０３５０】
図４９は、明るさ調整画面の例を示す図である。
【０３５１】
明るさ調整画面の中央上方には「明るさを選んでね」のメッセージが表示され、その下に表示領域７４１が設けられる。表示領域７４１には、６枚の撮影画像の中から選択された例えば１枚目の撮影画像が表示される。
【０３５２】
表示領域７４１の下のボタン領域７４２には、肌の明るさの調整に用いられるボタンである明るさ選択ボタン７５１−１乃至７５１−５が表示される。より左側に表示されるボタンが、より暗い色の肌を選択するときに操作されるボタンであり、より右側に表示されるボタンが、より明るい色の肌を選択するときに操作されるボタンである。表示領域７４１に表示されている撮影画像に写る人物の肌の色を変えた画像が、明るさ選択ボタン７５１−１乃至７５１−５として用いられる。
【０３５３】
明るさ選択ボタン７５１−５の右側には、明るさの調整を終えるときに操作されるOKボタン７５２が表示される。
【０３５４】
明るさ選択ボタン７５１−１乃至７５５−５のうちのいずれかのボタンが操作された場合、ステップＳ１２５において、調整部３３４は、それぞれの撮影画像から人物の肌の領域を検出し、検出した領域を、選択された明るさに応じて調整する。OKボタン７５２が操作された場合、明るさの調整が終了される。
【０３５５】
ステップＳ１２６において、表示制御部３２２は、撮影画像に写る利用者の背景の選択に用いられる画面である背景選択画面をタブレット内蔵モニタ１３１に表示させる。
【０３５６】
図５０は、背景選択画面の例を示す図である。
【０３５７】
背景選択画面の上方中央には、「好きなセット背景を選択してね」のメッセージが表示され、その下に、６枚の撮影画像が２行３列に配置して表示される。セット背景は、あらかじめ設定された背景画像のセットであり、所定のテーマに沿って選択された複数の背景画像から構成される。撮影画像が６枚ある場合、１つのセット背景は６枚の背景画像の組み合わせによって構成される。利用者は、撮影画像７７１−１乃至７７１−６に合成するセット背景を図５０の背景選択画面から選択することができる。
【０３５８】
６枚の撮影画像の上段には、左から順に撮影画像７７１−１乃至７７１−３が配置され、下段には、左から順に撮影画像７７１−４乃至７７１−６が配置される。撮影画像７７１−１乃至７７１−６は例えば撮影順に配置される。
【０３５９】
撮影画像７７１−１乃至７７１−６は、目の大きさや顔の大きさの調整などが施された画像であり、被写体として写る２人の利用者の背景には、撮影空間Ａ１の内側の白色無地の壁面（背面パネル５１の内側）が写っている。撮影画像７７１−１乃至７７１−６に写る利用者の背景は、背景画像が選択されることに応じてリアルタイムで変更される。
【０３６０】
撮影画像７７１−１乃至７７１−６の下には、選択肢としてのセット背景や背景画像のサンプル画像が表示される横長の領域である背景画像パレット７７２が表示される。背景画像パレット７７２は、表示領域７８１の左側にタブ７９１Ｌ乃至７９４Ｌが縦に並べて表示され、右側にタブ７９１Ｒ乃至７９４Ｒが縦に並べて表示されることによって構成される。
【０３６１】
各タブには名前が設定されており、選択されたタブのグループに属するセット背景のサンプル画像が表示領域７８１に表示される。図５０の例においては、タブ７９１Ｌとタブ７９１Ｒが選択状態となっており、他のタブより大きく表示されている。
【０３６２】
表示領域７８１には、８種類のセット背景（セット背景のサンプル画像）であるセット背景８０１−１乃至８０１−８が上段に４枚、下段に４枚ずつ並べて表示されている。セット背景８０１−１乃至８０１−８は、所定の色の背景画像からなるセット背景とされている。それぞれのセット背景を構成する６枚の背景画像は、それぞれ、対応する位置に配置されている撮影画像の合成に用いられる。
【０３６３】
セット背景８０１−８の右側に表示されているボタン８０２とボタン８０３は、セット背景８０１−１乃至８０１−８上に人物（撮影画像に写る利用者）を表示させるか、表示させないかを選択するときに操作されるボタンである。
【０３６４】
図５０の例においては、例えば左側の利用者によりセット背景８０１−１がタッチペン１３２Ａで選択され、セット背景８０１−１を囲むようにカーソルＣが表示されている。セット背景８０１−１が選択されていることにより、撮影画像７７１−１乃至７７１−６は、セット背景８０１−１を構成する背景画像が合成された状態で表示される。
【０３６５】
撮影画像７７１−１乃至７７１−６の右側には、背景の選択を終了するときに操作されるOKボタン７７３が表示される。例えばセット背景８０１−２を選択した状態でOKボタン７７３が押された場合、背景の選択が終了し、セット背景８０１−２を構成する背景画像が撮影画像に合成される。
【０３６６】
背景選択画面のOKボタン７７３が押された場合、ステップＳ１２７において、調整部３３４は、利用者により選択された背景画像（背景セットを構成する背景画像）を合成することによって撮影画像の背景を調整し、編集対象となる撮影画像を生成する。編集対象となる撮影画像は、撮影画像に写る利用者の目と顔の大きさ、肌の明るさ、および背景が調整された画像となる。
【０３６７】
背景画像の選択が終了したとき、ステップＳ１２８において、表示制御部３３２は、編集画面をタブレット内蔵モニタ１３１に表示させる。
【０３６８】
図５１は、編集画面の例を示す図である。
【０３６９】
編集画面は、主な構成が左右対称に設けられることによって構成される。左半分の領域である領域８１２Ｌは、タブレット内蔵モニタ１３１に向かって左側にいる利用者により用いられる領域であり、右半分の領域である領域８１２Ｒは、タブレット内蔵モニタ１３１に向かって右側にいる利用者により用いられる領域である。中央上方の領域８１１には編集処理の残り時間などが表示される。なお、図５１の各領域を囲む一点鎖線と破線は画面に実際に表示されるものではない。
【０３７０】
領域８１２Ｌの中央上方のサムネイル画像表示領域８２１Ｌは、撮影画像を表すサムネイル画像の表示領域である。利用者は、サムネイル画像表示領域８２１Ｌに表示されているサムネイル画像を選択することによって、編集対象とする撮影画像を選択する。
【０３７１】
図５１の例においては、６枚の撮影画像を表すサムネイル画像Ｐ５１乃至Ｐ５６が撮影順に並べて表示され、左端のサムネイル画像Ｐ５１が選択されることによって、１枚目の撮影画像が編集対象とされている。
【０３７２】
領域８１２Ｌの略中央に設けられた比較的大きな編集領域８２２Ｌは、編集対象として選択された撮影画像の表示領域である。利用者は、編集用パレット８３１Ｌにサンプルが表示されるものの中から好みの編集ツールをタッチペン１３２Ａを用いて選択し、続けて、編集領域８２２Ｌに表示された撮影画像上の位置を指定することにより、指定した位置に、手書きの文字やスタンプ画像などの合成用画像を撮影画像に合成させて編集を行うことができる。
【０３７３】
編集領域８２２Ｌの下の編集用パレット表示領域８２３Ｌは、スタンプ画像などの各種の編集ツールの選択に用いられる編集用パレット８３１Ｌの表示領域である。編集用パレットに表示される編集ツールはカテゴリ毎に分かれており、タブを選択することによって、編集用パレット８３１Ｌに表示させる編集ツールを切り替えることができるようになされている。
【０３７４】
編集用パレット表示領域８２３Ｌの上の修正ツール選択領域８２４Ｌは、入力した編集を消すときに用いられるツールである消しゴムツールの選択に用いられるボタンや、１つ前または１つ後の作業に戻るときに操作されるボタンが並べて表示される領域である。
【０３７５】
編集領域８２２Ｌの右側の一発落書きボタン８２５Ｌは、一発落書き機能を使って編集を行うときに操作されるボタンである。一発落書き機能は、複数種類の編集ツールを組み合わせることによってあらかじめ設定された内容の編集を一括して編集対象の撮影画像に合成する機能である。
【０３７６】
一発落書きボタン８２５Ｌの上には、編集処理を終了するときに操作される終了ボタン８２６Ｌが表示される。
【０３７７】
領域８１２Ｒには、領域８１２Ｌの構成と同じ構成が位置を対称にして配置される。図５１の例においては、サムネイル画像表示領域８２１Ｒからサムネイル画像Ｐ５３を選択することによって、３枚目の撮影画像が編集対象とされている。
【０３７８】
図４７の説明に戻り、ステップＳ１２９において、編集部３３３は、編集画面に対する利用者の操作に応じて撮影画像の編集を行う。編集が行われることによって生成された編集画像は編集部３３３から画像記憶部３３５に供給され、記憶される。撮影画像の編集は、例えば、あらかじめ設定された所定の時間が経過するまで、または、編集画面に用意された終了ボタン８２６Ｌ，８２６Ｒが操作されるまで続けられる。
【０３７９】
ステップＳ１３０において、編集部３３３は、編集終了か否かを判定し、終了ではないと判定した場合、ステップＳ１２８以降の処理を繰り返す。
【０３８０】
制限時間が経過したことから、または編集画面の終了ボタン８２６Ｌ，８２６Ｒが操作されたことから編集終了であるとステップＳ１３０において判定された場合、ステップＳ１３１において、表示制御部３３２は、分割数選択画面をタブレット内蔵モニタ１３１に表示させる。分割数選択画面は、編集作業によって生成された編集画像をシール紙に印刷するときのレイアウトの選択に用いられる画面である。
【０３８１】
図５２は、分割数選択画面の例を示す図である。
【０３８２】
分割数選択画面の中央上方には「分割数を選んでね」のメッセージが表示され、その下に、「おすすめ分割」を選択するときに操作される選択ボタン８５１、「切れてる分割」を選択するときに操作される選択ボタン８５２、および「小分割・大分割」を選択するときに操作される選択ボタン８５３が表示される。選択ボタン８５１乃至８５３が操作されることに応じて、その下の領域８５４に表示される分割数の選択肢の表示が切り替わる。
【０３８３】
領域８５４は、主な構成が左右にそれぞれ配置されることによって構成される。２人の利用者は、それぞれ好みの分割数を選択することができる。
【０３８４】
領域８５４の左側には、選択中の分割数を表す印刷イメージ８６１Ｌが表示される。印刷イメージ８６１Ｌは、編集処理によって生成された編集画像が、選択中のレイアウトで配置された画像である。印刷イメージ８６１Ｌの左側には、縦横選択ボタン８６２ＬとOKボタン８６３Ｌが表示される。OKボタン８６３Ｌは分割数の選択を終えるときに操作されるボタンである。
【０３８５】
レイアウト表示領域８６４Ｌには、分割数のサンプル画像である画像８７１−１乃至８７１−３が表示される。
【０３８６】
領域８５４の右側にも同様に、選択中の分割数を表す印刷イメージ８６１Ｒが表示され、その右側に、縦横選択ボタン８６２ＲとOKボタン８６３Ｒが表示される。レイアウト表示領域８６４Ｒには、分割数のサンプル画像である画像８７１−１乃至８７１−３が表示される。
【０３８７】
このような分割数選択画面から所定のレイアウトが選択されたとき、ステップＳ１３２において、表示制御部３３２は、撮影画像の編集を終えた利用者に対して事後接客空間Ａ３への移動を案内する。事後接客空間Ａ３への移動の案内は、タブレット内蔵モニタ１３１に画面を表示させることによって、またはスピーカ２３１から音声を出力させることによって行われる。その後、図１８のステップＳ８に戻り、それ以降の処理が行われる。
【０３８８】
［通常コースにおける印刷処理］
次に、図５３のフローチャートを参照して、図１８のステップＳ９において行われる編集画像の印刷処理について説明する。
【０３８９】
ステップＳ１４１において、印刷管理部３０３の印刷データ生成部３４１は、画像記憶部３３５に記憶されている編集画像を読み出して取得する。
【０３９０】
ステップＳ１４２において、印刷データ生成部３４１は、分割数選択画面を用いて利用者により選択されたレイアウトに従って編集画像を配置し、印刷データを生成する。印刷データ生成部３４１は、生成した印刷データをプリンタ制御部３４２に出力する。
【０３９１】
ステップＳ１４３において、プリンタ制御部３４２は、プリンタ２４１を制御し、印刷データ生成部３４１により生成された印刷データに基づいて、編集画像をシール紙に印刷させる。これにより、図８を参照して説明したようなシール紙が生成され、シール紙排出口１６３に排出される。その後、図１８のステップＳ９に戻り、それ以降の処理が行われる。
【０３９２】
［通常コースにおける事後接客処理］
次に、図５４のフローチャートを参照して、図１８のステップＳ１０において行われる事後接客処理について説明する。
【０３９３】
ステップＳ１５１において、事後接客管理部３０４の表示制御部３５１は、メールアドレスの入力画面をタブレット内蔵モニタ１６１に表示させる。メールアドレスの入力画面は、図４３を参照して説明した画面と同様の画面である。
【０３９４】
入力画面に対してメールアドレスが入力されたとき、ステップＳ１５２において、通信制御部３５２は、画像記憶部３３５から読み出した編集画像のデータとメールアドレスをサーバに送信する。表示制御部３５１は、写真シール作成装置１の紹介画面をタブレット内蔵モニタ１６１に表示させ、処理を終了させる。その後、図１８のステップＳ１０に戻り、通常コースの一連の処理が終了される。
【０３９５】
以上のように、利用者は、通常コースを選択することによって、友達などと一緒に撮影し、編集などで遊んだ後に、編集画像が印刷されたシール紙を得ることができる。
【０３９６】
＜シーケンス管理の例＞
上述したように、写真シール作成装置１においては、複数のグループの利用者が並行にゲームを進めることが可能とされる。各グループは、１人の利用者によって構成されることもあるし、複数人の利用者によって構成されることもある。
【０３９７】
図５５は、複数のグループにゲームの機能を提供する写真シール作成装置１の処理のタイミングチャートの例を示す図である。
【０３９８】
図５５の例においては、最初に写真シール作成装置１の利用を始めた利用者は１人の利用者である利用者Ａであり、利用者Ａに続けて写真シール作成装置１の利用を始めた利用者は複数人の利用者のグループである利用者グループＢである。また、利用者グループＢに続けて写真シール作成装置１の利用を始めた利用者は複数人の利用者のグループである利用者グループＣである。利用者Ａは証明写真コースを選択し、利用者グループＢとＣはそれぞれ通常コースを選択したものとされている。
【０３９９】
利用者Ａは、時刻ｔ１において、撮影空間（撮影空間Ａ１）に入り、証明写真コースを選択した後、撮影を開始する。撮影の後、利用者Ａは、時刻ｔ２において、撮影空間から画像処理空間Ａ（画像処理空間Ａ２−１）に移動し、証明写真用画像の調整を開始する。
【０４００】
一方、利用者グループＢは、時刻ｔ２において、利用者Ａがいなくなった撮影空間に入り、通常コースを選択した後、撮影を開始する。撮影の後、利用者Ａは、時刻ｔ１１において、撮影空間から、空いている方の画像処理空間である画像処理空間Ｂ（画像処理空間Ａ２−２）に移動し、撮影画像の編集を開始する。
【０４０１】
利用者グループＣは、時刻ｔ１１において、利用者グループＢがいなくなった撮影空間に入り、通常コースを選択した後、撮影を開始する。
【０４０２】
画像処理空間Ａで証明写真用画像の調整を行っていた利用者Ａは、時刻ｔ３において、画像処理空間Ａから事後接客空間（事後接客空間Ａ３）に移動し、携帯送信の機能を使って証明写真用画像を送信する。
【０４０３】
撮影空間で撮影を行っていた利用者グループＣは、時刻ｔ２１において、撮影空間から、利用者Ａがいなくなった画像処理空間である画像処理空間Ａに移動し、撮影画像の編集を開始する。
【０４０４】
利用者Ａは、印刷が終わった時刻ｔ４において、証明写真用画像が印刷されたシール紙を受け取り、証明写真コースのゲームを終了する。
【０４０５】
画像処理空間Ｂで撮影画像の編集を行っていた利用者グループＢは、時刻ｔ１２において、画像処理空間Ｂから、利用者Ａがいなくなった事後接客空間に移動し、携帯送信の機能を使って編集画像を送信する。利用者グループＢは、印刷が終わった時刻ｔ１３において、編集画像が印刷されたシール紙を受け取り、通常コースのゲームを終了する。
【０４０６】
画像処理空間Ａで撮影画像の編集を行っていた利用者グループＣは、時刻ｔ２２において、画像処理空間Ａから、利用者グループＢがいなくなった事後接客空間に移動し、携帯送信の機能を使って編集画像を送信する。利用者グループＣは、印刷が終わった時刻ｔ２３において、編集画像が印刷されたシール紙を受け取り、通常コースのゲームを終了する。
【０４０７】
このように、写真シール作成装置１は、証明写真コースの処理を行っている最中に通常コースを選択した利用者のグループが現れた場合であっても、証明写真コースの処理と通常コースの処理とを並行して行うことができる。
【０４０８】
図５６は、複数のグループにゲームの機能を提供する写真シール作成装置１の処理のタイミングチャートの他の例を示す図である。
【０４０９】
図５６の例においては、最初に写真シール作成装置１の利用を始めた利用者は複数人の利用者のグループである利用者グループＡであり、利用者グループＡに続けて写真シール作成装置１の利用を始めた利用者は１人の利用者である利用者Ｂである。また、利用者Ｂに続けて写真シール作成装置１の利用を始めた利用者は複数人の利用者のグループである利用者グループＣである。利用者グループＡとＣはそれぞれ通常コースを選択し、利用者Ｂは証明写真コースを選択したものとされている。
【０４１０】
利用者グループＡは、時刻ｔ３１において、撮影空間に入り、通常コースを選択した後、撮影を開始する。撮影の後、利用者グループＡは、時刻ｔ３２において、撮影空間から画像処理空間Ａに移動し、撮影画像の編集を開始する。
【０４１１】
一方、利用者Ｂは、時刻ｔ３２において、利用者グループＡがいなくなった撮影空間に入り、証明写真コースを選択した後、撮影を開始する。撮影の後、利用者Ｂは、時刻ｔ４１において、撮影空間から、空いている方の画像処理空間である画像処理空間Ｂに移動し、証明写真用画像の調整を開始する。
【０４１２】
利用者グループＣは、時刻ｔ４１において、利用者Ｂがいなくなった撮影空間に入り、通常コースを選択した後、撮影を開始する。
【０４１３】
画像処理空間Ａで撮影画像の編集を行っていた利用者グループＡは、時刻ｔ３３において、画像処理空間Ａから事後接客空間に移動し、携帯送信の機能を使って編集画像を送信する。
【０４１４】
撮影空間で撮影を行っていた利用者グループＣは、時刻ｔ５１において、撮影空間から、利用者グループＡがいなくなった画像処理空間である画像処理空間Ａに移動し、撮影画像の編集を開始する。
【０４１５】
利用者グループＡは、印刷が終わった時刻ｔ３４において、編集画像が印刷されたシール紙を受け取り、通常コースのゲームを終了する。
【０４１６】
画像処理空間Ｂで証明写真用画像の調整を行っていた利用者Ｂは、時刻ｔ４２において、画像処理空間Ｂから、利用者グループＡがいなくなった事後接客空間に移動し、携帯送信の機能を使って証明写真用画像を送信する。利用者Ｂは、印刷が終わった時刻ｔ４３において、証明写真用画像が印刷されたシール紙を受け取り、証明写真コースのゲームを終了する。
【０４１７】
画像処理空間Ａで撮影画像の編集を行っていた利用者グループＣは、時刻ｔ５２において、画像処理空間Ａから、利用者Ｂがいなくなった事後接客空間に移動し、携帯送信の機能を使って編集画像を送信する。利用者グループＣは、印刷が終わった時刻ｔ５３において、編集画像が印刷されたシール紙を受け取り、通常コースのゲームを終了する。
【０４１８】
このように、写真シール作成装置１は、通常コースの処理を行っている最中に証明写真コースを選択した利用者が現れた場合であっても、通常コースの処理と証明写真コースの処理とを並行して行うことができる。
【０４１９】
図５７は、複数のグループにゲームの機能を提供する写真シール作成装置１の処理のタイミングチャートのさらに他の例を示す図である。
【０４２０】
図５７の例においては、最初に写真シール作成装置１の利用を始めた利用者は１人の利用者である利用者Ａであり、利用者Ａに続けて写真シール作成装置１の利用を始めた利用者も１人の利用者である利用者Ｂである。また、利用者Ｂに続けて写真シール作成装置１の利用を始めた利用者も１人の利用者である利用者Ｃである。利用者Ａ乃至Ｃはそれぞれ証明写真コースを選択したものとされている。
【０４２１】
利用者Ａは、時刻ｔ６１において、撮影空間に入り、証明写真コースを選択した後、撮影を開始する。撮影の後、利用者Ａは、時刻ｔ６２において、撮影空間から画像処理空間Ａに移動し、証明写真用画像の調整を開始する。
【０４２２】
一方、利用者Ｂは、時刻ｔ３２において、利用者Ａがいなくなった撮影空間に入り、証明写真コースを選択した後、撮影を開始する。撮影の後、利用者Ｂは、時刻ｔ７１において、撮影空間から、空いている方の画像処理空間である画像処理空間Ｂに移動し、証明写真用画像の調整を開始する。
【０４２３】
利用者Ｃは、時刻ｔ７１において、利用者Ｂがいなくなった撮影空間に入り、証明写真コースを選択した後、撮影を開始する。
【０４２４】
画像処理空間Ａで証明写真用画像の調整を行っていた利用者Ａは、時刻ｔ６３において、画像処理空間Ａから事後接客空間に移動し、携帯送信の機能を使って証明写真用画像を送信する。
【０４２５】
撮影空間で撮影を行っていた利用者Ｃは、時刻ｔ８１において、撮影空間から、利用者Ａがいなくなった画像処理空間である画像処理空間Ａに移動し、証明写真用画像の調整を開始する。
【０４２６】
利用者Ａは、印刷が終わった時刻ｔ６４において、証明写真用画像が印刷されたシール紙を受け取り、証明写真コースのゲームを終了する。
【０４２７】
画像処理空間Ｂで証明写真用画像の調整を行っていた利用者Ｂは、時刻ｔ７２において、画像処理空間Ｂから、利用者Ａがいなくなった事後接客空間に移動し、携帯送信の機能を使って証明写真用画像を送信する。利用者Ｂは、印刷が終わった時刻ｔ７３において、証明写真用画像が印刷されたシール紙を受け取り、証明写真コースのゲームを終了する。
【０４２８】
画像処理空間Ａで証明写真用画像の調整を行っていた利用者Ｃは、時刻ｔ８２において、画像処理空間Ａから、利用者Ｂがいなくなった事後接客空間に移動し、携帯送信の機能を使って証明写真用画像を送信する。利用者Ｃは、印刷が終わった時刻ｔ８３において、証明写真用画像が印刷されたシール紙を受け取り、証明写真コースのゲームを終了する。
【０４２９】
このように、写真シール作成装置１は、証明写真コースの処理を行っている最中に証明写真コースを選択した他の利用者が現れた場合であっても、複数の証明写真コースの処理を並行して行うことができる。
【０４３０】
このような各処理のタイミングが、シーケンス管理部３０５により管理される。
【０４３１】
＜変形例＞
［編集対象とする撮影画像の選択の例］
以上においては、通常コース時、撮影処理によって得られた全ての撮影画像が編集対象として用いられるものとしたが、撮影処理によって得られた撮影画像の中から選択された撮影画像だけが編集対象として用いられるようにしてもよい。例えば、撮影処理において６回の撮影が行われた場合、６枚の撮影画像の中から選択された４枚の撮影画像が編集対象として用いられる。
【０４３２】
編集対象とする撮影画像の選択が行われる場合、その選択は、撮影空間Ａ１において行われる。すなわち、証明写真コース時、証明写真用画像とする１枚の撮影画像の選択は、証明写真用画像の調整の前に画像処理空間Ａ２−１またはＡ２−２において行われるのに対して、通常コース時、編集対象とする撮影画像の選択は、画像処理空間Ａ２−１またはＡ２−２に移動する前に、撮影空間Ａ１において行われることになる。
【０４３３】
ここで、図５８のフローチャートを参照して、編集対象とする撮影画像の選択がある場合の通常コースにおける撮影処理について説明する。図５８の処理は、図１８のステップＳ７において行われる処理である。
【０４３４】
ステップＳ２０１乃至Ｓ２０８の処理は、図４５を参照して説明したステップＳ１０１乃至Ｓ１０８の処理と同様の処理である。すなわち、ステップＳ２０１において、撮影管理部３０１のガイダンス出力制御部３２１は撮影前ガイダンスを出力し、ステップＳ２０２において、表示制御部３２２は、ライブビューの表示を開始する。
【０４３５】
ステップＳ２０３乃至Ｓ２０８において、カメラ制御部３２３は、１〜６回目の静止画の撮影を行う。カメラ制御部３２３は、６枚の撮影画像を表示制御部３２２に出力するとともに、撮影画像記憶部３２４に出力し、記憶させる。
【０４３６】
ステップＳ２０９において、表示制御部３２２は、編集対象とする撮影画像の選択画面をタッチパネルモニタ９２に表示させる。例えば、選択画面には６枚の撮影画像が並べて表示される。利用者は、タッチパネルモニタ９２に指で触れるなどして、６枚の撮影画像の中から、４枚などのあらかじめ決められた枚数の撮影画像を編集対象として選択する。
【０４３７】
編集対象とする撮影画像の選択が終了した場合、ステップＳ２１０において、表示制御部３２２は、落書きの紹介画面をタッチパネルモニタ９２に表示させ、ステップＳ２１１において、画像処理空間Ａ２−１または画像処理空間Ａ２−２への移動を案内する。
【０４３８】
利用者は、撮影空間Ａ１から出て、案内された方の画像処理空間に移動して、編集対象として選択した撮影画像の編集を行うことになる。その後、図１８のステップＳ７に戻り、それ以降の処理が行われる。
【０４３９】
このように、編集対象とする撮影画像の選択を撮影空間Ａ１で行うようにすることにより、編集に割り当てる時間を長く確保することができる。手書き文字を入力したりして複雑な操作を伴うといったことや、複数枚の撮影画像に対して編集を行う必要があるといったことなどから、編集の時間はなるべく長い方が好ましい。
【０４４０】
一方、証明写真コース時に画像処理空間Ａ２−１またはＡ２−２で行う証明写真用画像の調整は、図３１を参照して説明したように、ボタンを押して選択肢の中から選択するだけであり、通常コース時の編集と較べて時間がかからない。しかも、調整対象となる画像は１枚である。
【０４４１】
証明写真コース時には、証明写真用画像とする撮影画像の選択を画像処理空間Ａ２−１またはＡ２−２で行うようにすることにより、証明写真コース時に画像処理空間Ａ２−１またはＡ２−２で行う作業の時間と、通常コース時に画像処理空間Ａ２−１またはＡ２−２で行う作業の時間のバランスをとることができ、ゲームを効率的に進行させることが可能になる。画像処理空間Ａ２−１またはＡ２−２で行う作業の時間のコース毎の差が大きい場合、図５５乃至図５７を参照して説明したようにはゲームを効率的に進行させることができなくなることがあるが、そのようなことを防ぐことが可能になる。
【０４４２】
［証明写真用画像の調整の例］
・変形例１
図３１の例においては、一発レタッチの機能を用いた調整として、「清潔感」、「健康的」、「華やか」の名前が設定された３種類のモードの中から１種類のモードを選択することができるものとしたが、複数種類のモードを選択することができるようにしてもよい。
【０４４３】
図５９は、一発レタッチ機能の１種類目のモードを選択した後に表示される調整画面の例を示す図である。
【０４４４】
例えば「健康的」のモードが選択され、調整部３３４により写りが調整された証明写真用画像が調整画像表示領域５１１に表示された後、図５９に示すように、調整画像表示領域５１１に重ねてウインドウ９０１が表示される。
【０４４５】
ウインドウ９０１の中央には、「もう１種類レタッチする？」のメッセージが表示され、その下に、もう１種類のモードを利用するときに操作されるYESボタンであるボタン９０１Ａと、利用しないときに操作されるNOボタンであるボタン９０１Ｂが表示される。YESボタンであるボタン９０１Ａが操作された場合、ウインドウ９０１が閉じ、調整画面の表示は、一発レタッチのモードを選択可能な状態になる。一方、NOボタンであるボタン９０１Ｂが操作された場合、ウインドウ９０１が閉じ、調整画面の表示は図３１の状態に戻る。
【０４４６】
YESボタンであるボタン９０１Ａが操作され、続けて、例えばモード選択ボタン５１５Ａが操作されることによって、既に選択済みの「健康的」以外のモードである「清潔感」のモードが選択された場合、調整部３３４は、証明写真用画像の写りを「清潔感」のモードに応じて調整する。調整部３３４は、調整前（無調整）の証明写真用画像、１種類目のモードに応じて調整した証明写真用画像、および、２種類目のモードに応じて調整した証明写真用画像の３種類の証明写真用画像のデータを管理する。写りの調整後の証明写真用画像は表示制御部３３２に供給され、調整画像表示領域５１１に表示される。
【０４４７】
図６０は、２種類目のモードを選択した後に表示される調整画面の例を示す図である。
【０４４８】
図６０の調整画面において、調整画像表示領域５１１に表示されている証明写真用画像は、２種類目のモードに応じて写りが調整された調整後の証明写真用画像である。
【０４４９】
調整画像表示領域５１１の上には、調整中ボタン５４１と調整前ボタン５４２に加えて、切り替えボタン９１１が表示される。調整中ボタン５４１は、調整中の証明写真用画像、すなわちこの例においては、２種類目のモードである「清潔感」のモードに応じて写りを調整した証明写真用画像を調整画像表示領域５１１に表示させるときに操作されるボタンであり、調整前ボタン５４２は、調整前の証明写真用画像を調整画像表示領域５１１に表示させるときに操作されるボタンである。
【０４５０】
切り替えボタン９１１は、最初のレタッチ、すなわち、１種類目のモードである「健康的」のモードに応じて写りを調整した証明写真用画像を調整画像表示領域５１１に表示させるときに操作されるボタンである。
【０４５１】
利用者は、調整中ボタン５４１と切り替えボタン９１１を交互に操作することによって、一発レタッチの２種類のモードを利用して写りを調整した証明写真用画像を見比べることができる。また、調整前ボタン５４２を操作することによって、２種類のモードを利用して写りを調整した証明写真用画像と、調整前の証明写真用画像を見比べることができる。
【０４５２】
２種類のモードを利用して写りを調整した証明写真用画像の中からいずれかの証明写真用画像を選択し、シール紙に印刷することができるようにしてもよいし、２種類の写りの証明写真用画像をそれぞれ所定の数ずつシール紙に印刷することができるようにしてもよい。
【０４５３】
・変形例２
以上においては、撮影画像の中から選択した１枚の証明写真用画像に対して調整を施すことができるものとしたが、複数の証明写真用画像に対して調整を施すことができるようにしてもよい。例えば、２枚の証明写真用画像に対してそれぞれ調整を施す場合について説明する。この場合、図２７を参照して説明したような証明写真用画像の選択は行われない。
【０４５４】
図６１は、調整対象とする証明写真用画像の選択画面の例を示す図である。図６１に示す選択画面は、例えば、調整画面の表示前にタブレット内蔵モニタ１３１に表示される。
【０４５５】
図６１の選択画面の上方には「どの画像を使う？」のメッセージが表示され、その下に、撮影処理によって得られた４枚の撮影画像９２１−１乃至９２１−４が表示される。それぞれの撮影画像の左上には、撮影順を示す数字が付されている。選択画面の右上には、選択の残り時間が表示される。
【０４５６】
カーソルＣで囲んで示すように２回目の撮影によって得られた撮影画像である撮影画像９２１−２が選択された場合、図６２に示すように、調整画面の調整画像表示領域５１１には、選択された撮影画像が１枚目の調整対象の証明写真用画像として表示される。
【０４５７】
利用者は、１枚目の調整対象の証明写真用画像に対して、人物の位置、大きさ、背景、および写りの調整を施す。
【０４５８】
１枚目の調整対象の証明写真用画像に対する調整が終了した場合、図６３に示すように、２枚目の調整対象の証明写真用画像の選択画面が表示される。
【０４５９】
図６３の選択画面の上方には「もう一枚レタッチできるよ！どの画像を使う？」のメッセージが表示され、その下に、図６１の選択画面と同様に４枚の撮影画像９２１−１乃至９２１−４が表示される。
【０４６０】
カーソルＣで囲んで示すように４回目の撮影によって得られた撮影画像である撮影画像９２１−４が選択された場合、図６４に示すように、調整画面の調整画像表示領域５１１には、選択された撮影画像が２枚目の調整対象の証明写真用画像として表示される。
【０４６１】
利用者は、２枚目の調整対象の証明写真用画像に対して、人物の位置、大きさ、背景、および写りの調整を施す。
【０４６２】
このように、複数の証明写真用画像に対して調整を施すことができるようにすることも可能である。
【０４６３】
調整が施された複数の証明写真用画像が所定の数ずつシール紙に印刷されるようにしてもよいし、調整が施された複数の証明写真用画像の中から選択された１種類の証明写真用画像がシール紙に複数印刷されるようにしてもよい。
【０４６４】
・変形例３
複数の証明写真用画像に対して調整を施す場合において、調整対象とする複数の証明写真用画像を１つの選択画面から選択することができるようにしてもよい。図６１乃至図６４を参照して説明した例においては、１枚目の調整対象の証明写真用画像と２枚目の調整対象の証明写真用画像をそれぞれ異なる選択画面から選択するようになされている。
【０４６５】
図６５は、調整対象とする証明写真用画像の選択画面の例を示す図である。上述した説明と重複する説明については適宜省略する。
【０４６６】
図６５の選択画面の上方には「どの画像を使う？２枚まで選べるよ！」のメッセージが表示され、その下に、４枚の撮影画像９２１−１乃至９２１−４が表示される。図６５の例においては、カーソルＣ１で囲んで表示されている２回目の撮影によって得られた撮影画像９２１−２が１枚目の調整対象の証明写真用画像として選択され、カーソルＣ２で囲んで表示されている４回目の撮影によって得られた撮影画像９２１−４が２枚目の調整対象の証明写真用画像として選択されている。
【０４６７】
２枚の撮影画像が調整対象の証明写真用画像として選択された場合、図６６に示すように、調整画面の調整画像表示領域５１１には１枚目の調整対象の証明写真用画像が表示される。図６６の調整画面は、図６２を参照して説明した調整画面と同じ画面である。利用者は、１枚目の調整対象の証明写真用画像に対して、人物の位置、大きさ、背景、および写りの調整を施す。
【０４６８】
１枚目の調整対象の証明写真用画像に対する調整が終了した場合、図６７に示すように、調整画像表示領域５１１に重ねてウインドウ９０１が表示される。
【０４６９】
ウインドウ９０１の中央には、「もう１枚レタッチする？」のメッセージが表示され、その下に、２枚目の調整対象の証明写真用画像に対しても調整を施すときに操作されるYESボタンであるボタン９０１Ａと、調整を施さないときに操作されるNOボタンであるボタン９０１Ｂが表示される。
【０４７０】
YESボタンであるボタン９０１Ａが操作された場合、ウインドウ９０１が閉じ、調整画面の表示は、図６８に示すように、２枚目の調整対象の証明写真用画像が調整画像表示領域５１１に表示される状態になる。図６８の調整画面は、図６４を参照して説明した調整画面と同じ画面である。利用者は、２枚目の調整対象の証明写真用画像に対して、人物の位置、大きさ、背景、および写りの調整を施す。
【０４７１】
一方、図６７のNOボタンであるボタン９０１Ｂが操作された場合、ウインドウ９０１が閉じ、調整画面の表示は図６６の状態に戻る。
【０４７２】
このように、複数の証明写真用画像に対して調整を施すことができるようにすることも可能である。
【０４７３】
調整が施された複数の証明写真用画像が所定の数ずつシール紙に印刷されるようにしてもよいし、調整が施された複数の証明写真用画像の中から選択された１種類の証明写真用画像がシール紙に複数印刷されるようにしてもよい。この場合、２種類の証明写真用画像を、図１０に示す上段の３枚と下段の３枚に分けて印刷するようにしてもよい。その他、複数の証明写真用画像の中から選択された証明写真用画像を印刷するようにしてもよい。
【０４７４】
図６９は、図６５に示すような画面を用いて２枚の撮影画像を調整対象の証明写真用画像として選択済みである場合において、調整対象とする証明写真用画像の切り替えの他の例を示す図である。
【０４７５】
図６９の調整画面の調整画像表示領域５１１には１枚目の調整対象の証明写真用画像が表示される。利用者は、２枚目の調整対象の証明写真用画像に対して、人物の位置、大きさ、背景、および写りの調整を施す。
【０４７６】
調整画像表示領域５１１の下には、終了ボタン５４５に代えて切り替えボタン９４１が表示される。切り替えボタン９４１は、調整対象を２枚目の証明写真用画像に切り替えるときに操作されるボタンである。
【０４７７】
切り替えボタン９４１が操作された場合、調整画面の表示は、図７０に示すように、２枚目の調整対象の証明写真用画像が調整画像表示領域５１１に表示される状態になる。利用者は、２枚目の調整対象の証明写真用画像に対して、人物の位置、大きさ、背景、および写りの調整を施す。
【０４７８】
図７０の調整画面において、切り替えボタン９４１が表示されていた位置には終了ボタン５４５が表示される。利用者は、終了ボタン５４５を操作することによって証明写真用画像の調整を終了させることができる。
【０４７９】
また、調整画像表示領域５１１の上には、調整中ボタン５４１と調整前ボタン５４２に加えて、切り替えボタン９４２が表示される。切り替えボタン９４２は、１枚目の調整対象の証明写真用画像を調整画像表示領域５１１に表示させるときに操作されるボタンである。
【０４８０】
・変形例４
撮影によって得られた全ての撮影画像を証明写真用画像とし、全ての証明写真用画像に対して調整を施すことができるようにしてもよい。
【０４８１】
図７１は、調整画面の例を示す図である。
【０４８２】
図７１の例においては、調整画像表示領域５１１の右側に、４枚の撮影画像９２１−１乃至９２１−４が並べて表示される。利用者は、撮影画像９２１−１乃至９２１−４の中から調整対象とする撮影画像を選択することができる。例えば、カーソルＣで囲んで示すように２回目の撮影によって得られた撮影画像である撮影画像９２１−２が選択された場合、調整画面の調整画像表示領域５１１には、選択された撮影画像が調整対象の証明写真用画像として表示される。
【０４８３】
利用者は、調整対象とする証明写真用画像を順次切り替えて、それぞれの証明写真用画像に対して調整を施すことができる。例えば、調整後の全ての証明写真用画像から選択された所定の数の証明写真用画像がシール紙に印刷される。
【０４８４】
このように、全ての撮影画像を証明写真用画像として調整を施すことができるようにすることも可能である。
【０４８５】
本発明の実施の形態は、上述した実施の形態に限定されるものではなく、本発明の要旨を逸脱しない範囲において種々の変更が可能である。
【符号の説明】
【０４８６】
１  写真シール作成装置，  １１  撮影ユニット，  １２  画像処理ユニット，  ２０１  制御部，  ３０１  撮影管理部，  ３０２  画像処理管理部，  ３０３  印刷管理部，  ３０４  事後接客管理部，  ３０５  シーケンス管理部
【図１】
0005928839.tif 000002
【図２】
0005928839.tif 000003
【図３】
0005928839.tif 000004
【図４】
0005928839.tif 000005
【図５】
0005928839.tif 000006
【図６】
0005928839.tif 000007
【図７】
0005928839.tif 000008
【図８】
0005928839.tif 000009
【図９】
0005928839.tif 000010
【図１０】
0005928839.tif 000011
【図１１】
0005928839.tif 000012
【図１２】
0005928839.tif 000013
【図１３】
0005928839.tif 000014
【図１４】
0005928839.tif 000015
【図１５】
0005928839.tif 000016
【図１６】
0005928839.tif 000017
【図１７】
0005928839.tif 000018
【図１８】
0005928839.tif 000019
【図１９】
0005928839.tif 000020
【図２０】
0005928839.tif 000021
【図２１】
0005928839.tif 000022
【図２２】
0005928839.tif 000023
【図２３】
0005928839.tif 000024
【図２４】
0005928839.tif 000025
【図２５】
0005928839.tif 000026
【図２６】
0005928839.tif 000027
【図２７】
0005928839.tif 000028
【図２８】
0005928839.tif 000029
【図２９】
0005928839.tif 000030
【図３０】
0005928839.tif 000031
【図３１】
0005928839.tif 000032
【図３２】
0005928839.tif 000033
【図３３】
0005928839.tif 000034
【図３４】
0005928839.tif 000035
【図３５】
0005928839.tif 000036
【図３６】
0005928839.tif 000037
【図３７】
0005928839.tif 000038
【図３８】
0005928839.tif 000039
【図３９】
0005928839.tif 000040
【図４０】
0005928839.tif 000041
【図４１】
0005928839.tif 000042
【図４２】
0005928839.tif 000043
【図４３】
0005928839.tif 000044
【図４４】
0005928839.tif 000045
【図４５】
0005928839.tif 000046
【図４６】
0005928839.tif 000047
【図４７】
0005928839.tif 000048
【図４８】
0005928839.tif 000049
【図４９】
0005928839.tif 000050
【図５０】
0005928839.tif 000051
【図５１】
0005928839.tif 000052
【図５２】
0005928839.tif 000053
【図５３】
0005928839.tif 000054
【図５４】
0005928839.tif 000055
【図５５】
0005928839.tif 000056
【図５６】
0005928839.tif 000057
【図５７】
0005928839.tif 000058
【図５８】
0005928839.tif 000059
【図５９】
0005928839.tif 000060
【図６０】
0005928839.tif 000061
【図６１】
0005928839.tif 000062
【図６２】
0005928839.tif 000063
【図６３】
0005928839.tif 000064
【図６４】
0005928839.tif 000065
【図６５】
0005928839.tif 000066
【図６６】
0005928839.tif 000067
【図６７】
0005928839.tif 000068
【図６８】
0005928839.tif 000069
【図６９】
0005928839.tif 000070
【図７０】
0005928839.tif 000071
【図７１】
0005928839.tif 000072